(57)【特許請求の範囲】
【請求項１】
ユーザ機器（ＵＥ）により実行される方法において、
前記ＵＥのオペレータＣＳＧリストに含まれる対応ＣＳＧ識別子（ＣＳＧ  ＩＤ）を備えた、ＣＳＧと関連づけられたクローズド加入者グループ（ＣＳＧ）セルにアクセスすることを選択することと、なお、前記オペレータＣＳＧリストは、オペ
レータによって制御される読み出し専用リストである；
前記ＵＥが前記ＣＳＧについての認可を欠くということを示す拒否メッセージを受信すること；
前記ＣＳＧ ＩＤが前記オペレータＣＳＧリストに含まれるとき、前記拒否メッセージを受信することに応じて、１セットの禁止されたＣＳＧ ＩＤにおいて前記ＵＥの禁止されたＣＳＧ ＩＤとして前記ＣＳＧ ＩＤを保存することと；
を備える方法。
【請求項２】
前記ＵＥの禁止されたＣＳＧリストに前記禁止されたＣＳＧ ＩＤを保存すること、をさらに備える請求項１に記載の方法。
【請求項３】
前記ＵＥは、前記オペレータＣＳＧリストが前記ＣＳＧ ＩＤを削除するように更新される前に、前記ＣＳＧから取り除かれる、請求項１に記載の方法。
【請求項４】
前記ＣＳＧについての前記ＵＥのメンバーシップは、前記オペレータＣＳＧリストが前記ＣＳＧ ＩＤを削除するように更新される前に失効する、請求項１に記載の方法。
【請求項５】
前記１セットの禁止されたＣＳＧ ＩＤにおいて所与の禁止されたＣＳＧ ＩＤとして保存された対応ＣＳＧ ＩＤを備えた、所与のＣＳＧと関連づけられた所与のＣＳＧセルは、前記ＵＥによるアクセスに不適切であると認識される、請求項１に記載の方法。
【請求項６】
残りのサブセットのＣＳＧ ＩＤをもたらすために前記オペレータＣＳＧリストに含まれる１セットのＣＳＧ ＩＤから前記１セットの禁止されたＣＳＧ ＩＤを取り除くこと、をさらに備え、ここにおいて、前記残りのサブセットのＣＳＧ ＩＤに含まれる対応ＣＳＧ ＩＤを備えた、ＣＳＧと関連づけられたＣＳＧセルは、前記ＵＥによるアクセスに適切であると認識される、請求項１に記載の方法。
【請求項７】
禁止されたＣＳＧ ＩＤを備えたＣＳＧセルは、前記ＵＥによるアクセスに不適切であると認識される、請求項１に記載の方法。
【請求項８】
前記オペレータＣＳＧリストから省略され、前記ＵＥの許可されたＣＳＧリストから省略されたＣＳＧ ＩＤを備えたＣＳＧセルは、前記ＵＥによるアクセスに不適切であると認識され、前記ＵＥは、前記ＣＳＧリストから前記許可されたＣＳＧリストの許諾を読み出し、あるいは前記許可されたＣＳＧリストの前記許諾を前記ＣＳＧリストに書き込む、請求項１に記載の方法。
【請求項９】
少なくとも１つの禁止されたＣＳＧ ＩＤが保存されるとき、前記オペレータＣＳＧリストの更新を開始すること、をさらに備える請求項１に記載の方法。
【請求項１０】
前記少なくとも１つの禁止されたＣＳＧ ＩＤが保存されるときの次のアクセス時に、前記オペレータＣＳＧリストの前記更新を開始すること、をさらに備える請求項９に記載の方法。
【請求項１１】
前記少なくとも１つの禁止されたＣＳＧ ＩＤが保存される間の予め決定された長さの時間の後で、前記オペレータＣＳＧリストの前記更新を開始すること、をさらに備える請求項９に記載の方法。
【請求項１２】
前記１セットの禁止されたＣＳＧ ＩＤを消去すること、をさらに備える請求項１に記載の方法。
【請求項１３】
前記ＵＥをオフに切り替えるとき、前記１セットの禁止されたＣＳＧ ＩＤを消去すること、をさらに備える請求項１２に記載の方法。
【請求項１４】
前記ＵＥからユニバーサル加入者アイデンティティモジュール（ＵＳＩＭ）を取り除くとき、前記１セットの禁止されたＣＳＧ ＩＤを消去すること、をさらに備える請求項１２に記載の方法。
【請求項１５】
前記１セットの禁止されたＣＳＧ ＩＤを周期的に消去すること、をさらに備える請求項１２に記載の方法。
【請求項１６】
前記オペレータのＣＳＧリストが更新されるとき、前記１セットの禁止されたＣＳＧＩＤを消去すること、をさらに備える請求項１２に記載の方法。
【請求項１７】
前記禁止されたＣＳＧ ＩＤを備えた、前記ＣＳＧセルと関連づけられたパブリックランドモバイルネットワーク（ＰＬＭＮ）アイデンティティを保存すること、をさらに備える請求項１に記載の方法。
【請求項１８】
前記１セットの禁止されたＣＳＧ ＩＤから前記ＣＳＧ ＩＤを取り除くこと、をさらに備える請求項１に記載の方法。
【請求項１９】
マニュアルＣＳＧ選択に基づいて、前記禁止されたＣＳＧ ＩＤとして保存された前記ＣＳＧ ＩＤに対応する前記ＣＳＧセルに対して、アタッチリクエストメッセージを送信することと、
前記アタッチリクエストメッセージに応じて前記ＣＳＧセルからアタッチ受諾メッセージを受信することと、
前記アタッチ受諾メッセージを受信することに応じて、前記１セットの禁止されたＣＳＧ ＩＤからＣＳＧ ＩＤを取り除くことと、
をさらに備える請求項１８に記載の方法。
【請求項２０】
マニュアルＣＳＧ選択に基づいて、前記禁止されたＣＳＧ ＩＤとして保存された前記ＣＳＧ ＩＤに対応する前記ＣＳＧセルに対してリクエストメッセージを送信することと、ここにおいて、前記リクエストメッセージは、トラッキングエリア更新リクエストメッセージ、ロケーションエリア更新リクエストメッセージ、または、ルーティングエリア更新リクエストメッセージ、のうちの１つである；
前記リクエストメッセージに応じて前記ＣＳＧセルから受諾メッセージを受信することと、ここにおいて、前記受諾メッセージは、トラッキングエリア更新受諾メッセージ、ロケーションエリア更新受諾メッセージ、または、ルーティングエリア更新受諾メッセージ、のうちの１つである；
前記受諾メッセージを受信することに応じて前記１セットの禁止されたＣＳＧ ＩＤから前記ＣＳＧ ＩＤを取り除くことと；
をさらに備える請求項１８に記載の方法。
【請求項２１】
前記ＣＳＧ ＩＤが前記オペレータＣＳＧリストから取り除かれるとき、前記１セットの禁止されたＣＳＧ ＩＤから前記ＣＳＧ ＩＤを取り除くことと、をさらに備える請求項１８に記載の方法。
【請求項２２】
前記オペレータＣＳＧリストに含まれる前記対応ＣＳＧ ＩＤを備えた、前記ＣＳＧと関連づけられた前記ＣＳＧセルにアクセスすることを選択するとき、アタッチリクエストメッセージ、デタッチリクエストメッセージ、トラッキングエリア更新リクエストメッセージ、ロケーションエリア更新リクエストメッセージ、または、ルーティングエリア更新リクエストメッセージ、のうちの少なくとも１つを送信すること、をさらに備える請求項１に記載の方法。
【請求項２３】
前記ＣＳＧ ＩＤが前記オペレータＣＳＧリストに含まれるとき、前記拒否メッセージを受信することに応じて、セル選択についてアクセスストラタム（ＡＳ）に対して提供される許可されたＣＳＧアイデンティティのリストに前記ＣＳＧ ＩＤを含めることを阻止すること、をさらに備える請求項１に記載の方法。
【請求項２４】
前記ＣＳＧ ＩＤが前記禁止されたＣＳＧ ＩＤとして保存されるとき、マニュアルＣＳＧ選択モードについて前記オペレータＣＳＧリストにあるとして前記ＣＳＧ ＩＤをディスプレイすることを阻止すること、をさらに備える請求項１に記載の方法。
【請求項２５】
前記ＣＳＧ ＩＤが前記禁止されたＣＳＧ ＩＤとして保存されるとき、前記ＵＥがメンバであるというＣＳＧと関連づけられているとして前記ＣＳＧ ＩＤをディスプレイすることを阻止すること、をさらに備える請求項１に記載の方法。
【請求項２６】
無線通信装置であって、
ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択するように、なお、前記オペレータＣＳＧリストは、オペ
レータによって制御される読み出し専用リストである；
前記ＵＥが前記ＣＳＧについての認可を欠くということを示す拒否メッセージを受信するように；
前記ＣＳＧ ＩＤが前記オペレータＣＳＧリストに含まれるとき、前記拒否メッセージを受信することに応じて１セットの禁止されたＣＳＧ ＩＤにおいて前記ＵＥの禁止されたＣＳＧ ＩＤとして前記ＣＳＧ ＩＤを保持するように；
構成された少なくとも１つのプロセッサ、
を備える無線通信装置。
【請求項２７】
前記オペレータＣＳＧリストが前記ＣＳＧ ＩＤを削除するように更新される前に前記ＣＳＧから前記ＵＥが取り除かれる、または、前記オペレータＣＳＧリストが前記ＣＳＧＩＤを削除するように更新される前に前記ＣＳＧについての前記ＵＥのメンバーシップが失効する、のうちの少なくとも１つである、請求項２６に記載の無線通信装置。
【請求項２８】
所与のＣＳＧセルは、少なくとも前記オペレータＣＳＧリストと前記１セットの禁止されたＣＳＧ ＩＤの関数として前記ＵＥによるアクセスに適切または不適切のうちの１つであるとして認識される、請求項２６に記載の無線通信装置。
【請求項２９】
少なくとも１つの禁止されたＣＳＧ ＩＤが保持されるとき、前記オペレータＣＳＧリストの更新を開始するように
構成された少なくとも１つのプロセッサ、
をさらに備える請求項２６に記載の無線通信装置。
【請求項３０】
前記ＵＥをオフに切り替えるとき、周期的に、前記ＵＥからユニバーサル加入者アイデンティティモード（ＵＳＩＭ）を取り除くとき、または、前記オペレータＣＳＧリストが更新されるとき、のうちの少なくとも１つのときに、前記１セットの禁止されたＣＳＧＩＤを消去するように
構成された少なくとも１つのプロセッサ、
をさらに備える請求項２６に記載の無線通信装置。
【請求項３１】
前記禁止されたＣＳＧ ＩＤを備えた前記ＣＳＧセルと関連づけられたパブリックランドモバイルネットワーク（ＰＬＭＮ）を保持するように
構成された少なくとも１つのプロセッサ、
をさらに備える請求項２６に記載の無線通信装置。
【請求項３２】
マニュアルＣＳＧ選択の一部として送信されるアタッチリクエストメッセージに応じて得られる前記ＣＳＧセルから受諾メッセージを受信するとき、前記１セットの禁止されたＣＳＧ ＩＤから前記ＣＳＧ ＩＤを取り除くように
構成された少なくとも１つのプロセッサ、
をさらに備える請求項２６に記載の無線通信装置。
【請求項３３】
前記ＣＳＧ ＩＤが前記オペレータＣＳＧリストから取り除かれるとき、前記１セットの禁止されたＣＳＧ ＩＤから前記ＣＳＧ ＩＤを取り除くように
構成された少なくとも１つのプロセッサ、
をさらに備える請求項２６に記載の無線通信装置。
【請求項３４】
前記ＣＳＧ ＩＤが前記オペレータＣＳＧリストに含まれるとき、前記拒否メッセージを受信することに応じて、セル選択についてアクセスストラタム(ＡＳ)に対して提供される許可されたＣＳＧアイデンティティのリストに前記ＣＳＧ ＩＤを含めることを阻止するように
構成された少なくとも１つのプロセッサ、
をさらに備える請求項２６に記載の無線通信装置。
【請求項３５】
前記ＣＳＧ ＩＤが前記禁止されたＣＳＧ ＩＤとして保存されるとき、マニュアルＣＳＧ選択モードについて前記オペレータＣＳＧリストにあるとして前記ＣＳＧ ＩＤをディスプレイすることを阻止するように
構成された少なくとも１つのプロセッサ、
をさらに備える請求項２６に記載の無線通信装置。
【請求項３６】
前記ＣＳＧ ＩＤが前記禁止されたＣＳＧ ＩＤとして保持されるとき前記ＵＥがメンバであるＣＳＧと関連づけられているとして前記ＣＳＧ ＩＤをディスプレイすることを阻止するように
構成された少なくとも１つのプロセッサ、
をさらに備える請求項２６に記載の無線通信装置。
【請求項３７】
ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択するための手段と、なお、前記オペレータＣＳＧリストは、
オペレータによって制御される読み出し専用リストである；
前記ＣＳＧ ＩＤが前記オペレータＣＳＧリストに含まれるとき、前記ＵＥが前記ＣＳＧについての認可を欠くということを示す拒否メッセージを受信することに応じて禁止されたＣＳＧ ＩＤとして前記ＣＳＧ ＩＤを保存するための手段と；
を備える装置。
【請求項３８】
１セットの禁止されたＣＳＧ ＩＤから少なくとも前記禁止されたＣＳＧ ＩＤを取り除くための手段、
をさらに備える請求項３７に記載の装置。
【請求項３９】
１セットの禁止されたＣＳＧ ＩＤが消去される、請求項３７に記載の装置。
【請求項４０】
アクセスに適切なＣＳＧセルを識別するための手段、
をさらに備える請求項３７に記載の装置。
【請求項４１】
前記オペレータＣＳＧリストが前記ＣＳＧ ＩＤを削除するように更新される前に前記ＣＳＧから前記ＵＥは取り除かれる、または、前記オペレータＣＳＧリストが前記ＣＳＧＩＤを削除するように更新される前に前記ＣＳＧについての前記ＵＥのメンバーシップが失効する、のうちの少なくとも１つである、請求項３７に記載の装置。
【請求項４２】
コンピュータ可読媒体を備えるコンピュータプログラムであって、前記コンピュータ可読媒体は、
ユーザ機器（ＵＥ）のオペレータＣＳＧリストに含まれる対応ＣＳＧ識別子（ＩＤ）を備えたＣＳＧと関連づけられたクローズド加入者グループ（ＣＳＧ）セルにアクセスすることを少なくとも１つのコンピュータに選択させるためのコード、なお、前記オペレータＣＳＧリストは、オペレータによって制御される読み出し専用リストである；
前記ＣＳＧ ＩＤが前記オペレータＣＳＧリストに含まれるとき、前記ＵＥが前記ＣＳＧについての認可を欠くということを示す拒否メッセージを受信することに応じて禁止されたＣＳＧ ＩＤとして前記ＣＳＧ ＩＤを少なくとも１つのコンピュータに保存させるためのコードと；
を備える、
コンピュータプログラム。
【請求項４３】
前記コンピュータ可読媒体は、１セットの禁止されたＣＳＧ ＩＤから少なくとも前記禁止されたＣＳＧ ＩＤを少なくとも１つのコンピュータに取り除かせるためのコード、をさらに備える、請求項４２に記載のコンピュータプログラム。
【請求項４４】
前記１セットの禁止されたＣＳＧ ＩＤが消去される、請求項４３に記載のコンピュータプログラム。
【請求項４５】
前記コンピュータ可読媒体は、前記禁止されたＣＳＧ ＩＤを含む１セットの禁止されたＣＳＧ ＩＤと前記オペレータＣＳＧリストに基づいてアクセスに適切なＣＳＧセルを少なくとも１つのコンピュータに識別させるためのコード、をさらに備える、請求項４２に記載のコンピュータプログラム。
【請求項４６】
前記オペレータＣＳＧリストが前記ＣＳＧ ＩＤを削除するように更新される前に前記ＣＳＧから前記ＵＥは取り除かれる、または、前記オペレータＣＳＧリストが前記ＣＳＧＩＤを削除するように更新される前に前記ＣＳＧについての前記ＵＥのメンバーシップが失効する、のうちの少なくとも１つである、請求項４２に記載のコンピュータプログラム。
【請求項４７】
ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択する選択コンポーネントと、なお、前記オペレータＣＳＧリストは、オペレータによって制御される読み出し専用リストである；
前記ＣＳＧ ＩＤが前記オペレータＣＳＧリストに含まれるとき、前記ＵＥが前記ＣＳＧについての認可を欠くということを示す拒否メッセージを受信することに応じて１セットの禁止されたＣＳＧ ＩＤにおいて禁止されたＣＳＧ ＩＤとして前記ＣＳＧ ＩＤを保存する禁止されたＣＳＧ管理コンポーネントと；
を備える装置。
【請求項４８】
前記１セットの禁止されたＣＳＧ ＩＤと前記オペレータＣＳＧリストとに基づいて前記ＵＥによるアクセスに適切であるＣＳＧセルを認識するフィルタコンポーネント、をさらに備える請求項４７に記載の装置。
【請求項４９】
ユーザ機器（ＵＥ）がクローズド加入者グループ（ＣＳＧ）について認可されないということを示しているメッセージを受信することと；
前記ＣＳＧに対応するＣＳＧ識別子（ＩＤ）がオペレータＣＳＧリストに存在しているかどうかを認識することと、なお、前記オペレータＣＳＧリストはオペ
レータによって制御される読み出し専用リストである；
前記ＣＳＧ ＩＤが前記オペレータＣＳＧリストに存在するとき、セル選択についてアクセスストラタム（ＡＳ）に対して提供される許可されたＣＳＧ ＩＤのリストに前記ＣＳＧ ＩＤを含めることを阻止することと；
を備える方法。
【請求項５０】
前記許可されたＣＳＧ ＩＤのリストは、非アクセスストラタム（ＮＡＳ）により前記ＡＳに対して提供される、請求項４９に記載の方法。
【請求項５１】
前記ＵＥがオフに切り替えられるまで、ユニバーサル加入者アイデンティティモード（ＵＳＩＭ）が前記ＵＥから取り除かれるまで、または、前記オペレータＣＳＧリストが更新される、時間期間のうちの少なくとも１つの間、前記許可されたＣＳＧ ＩＤのリストに前記ＣＳＧ ＩＤが含まれることを阻止すること、をさらに備える請求項４９に記載の方法。
【請求項５２】
無線通信装置であって、
ユーザ機器（ＵＥ）がクローズド加入者グループ（ＣＳＧ）について認可されないということを示しているメッセージを受信するように；
前記ＣＳＧに対応するＣＳＧ識別子（ＩＤ）がオペレータＣＳＧリストに存在しているかどうかを認識するように、なお、前記オペレータＣＳＧリストはオペ
レータによって制御される読み出し専用リストである；
前記ＣＳＧ ＩＤが前記オペレータＣＳＧリストに存在するとき、セル選択についてアクセスストラタム（ＡＳ）に対して提供される許可されたＣＳＧ ＩＤのリストに前記ＣＳＧ ＩＤを含めることを阻止するように；
構成された少なくとも１つのプロセッサ、
を備える無線通信装置。
【請求項５３】
前記許可されたＣＳＧ ＩＤのリストは、非アクセスストラタム（ＮＡＳ）により前記ＡＳに対して提供される、請求項５２に記載の無線通信装置。
【請求項５４】
前記ＵＥがオフに切り替えられるまで、ユニバーサル加入者アイデンティティモード（ＵＳＩＭ）が前記ＵＥから取り除かれるまで、または、前記オペレータＣＳＧリストが更新される、の時間期間のうちの少なくとも１つの間、前記許可されたＣＳＧ ＩＤのリストに前記ＣＳＧ ＩＤが含まれることを阻止するように
構成された少なくとも１つのプロセッサ、
をさらに備える請求項５２に記載の無線通信装置。
【請求項５５】
ユーザ機器（ＵＥ）がクローズド加入者グループ（ＣＳＧ）について認可されないということを示しているメッセージを受信するための手段と；
前記ＣＳＧ ＩＤがオペレータＣＳＧリストに存在するとき、セル選択についてアクセスストラタム（ＡＳ）に対して提供される許可されたＣＳＧ ＩＤのリストに前記ＣＳＧに対応するＣＳＧ識別子（ＩＤ）を含めることを阻止するための手段と、なお、前記オペレータＣＳＧリストは、オペレータによって制御される読み出し専用リストである；
を備える装置。
【請求項５６】
前記ＣＳＧに対応する前記ＣＳＧ ＩＤが前記オペレータＣＳＧリストに存在するかどうかを識別するための手段、をさらに備える請求項５５に記載の装置。
【請求項５７】
コンピュータ可読媒体を備えるコンピュータプログラムであって、前記コン
ピュータ可読媒体は、
ユーザ機器（ＵＥ）がクローズド加入者グループ（ＣＳＧ）について認可されないということを示しているメッセージを、少なくとも１つのコンピュータに受信させるためのコードと；
前記ＣＳＧ ＩＤがオペレータＣＳＧリストに存在するとき、セル選択についてアクセスストラタム（ＡＳ）に対して提供される許可されたＣＳＧ ＩＤのリストに前記ＣＳＧに対応するＣＳＧ識別子（ＩＤ）を含めることを少なくとも１つのコンピュータに阻止させるためのコードと、なお、前記オペレータＣＳＧリストは、オペ
レータによって制御される読み出し専用リストである；
を備える、
コンピュータプログラム。
【請求項５８】
前記コンピュータ可読媒体は、前記ＣＳＧに対応する前記ＣＳＧ ＩＤが前記オペレータＣＳＧリストに存在するかどうかを、少なくとも１つのコンピュータに識別させるためのコード、をさらに備える、請求項５７に記載のコンピュータプログラム。
【請求項５９】
ユーザ機器（ＵＥ）がクローズド加入者グループ（ＣＳＧ）について認可されないということを示しているメッセージを受信する、禁止されたＣＳＧ管理コンポーネントと；  前記ＣＳＧ ＩＤがオペレータＣＳＧリストに存在するとき、セル選択についてアクセスストラタム（ＡＳ）に対して提供される許可されたＣＳＧ ＩＤのリストにＣＳＧに対応するＣＳＧ識別子（ＩＤ）を含めることを阻止するフィルタコンポーネントと、なお、前記オペレータＣＳＧリストは、オペレータによって制御される読み出し専用リストである；  を備える装置。
【請求項６０】
前記フィルタコンポーネントは、前記ＵＥがオフに切り替えられるまで、ユニバーサル加入者アイデンティティモード（ＵＳＩＭ）が前記ＵＥから取り除かれるまで、または、前記オペレータＣＳＧリストが更新される、の時間期間のうちの少なくとも１つの間、前記許可されたＣＳＧ ＩＤのリストに前記ＣＳＧ ＩＤが含まれることを阻止する、請求項５９に記載の装置。
【請求項６１】
ユーザ機器（ＵＥ）がクローズド加入者グループ（ＣＳＧ）について認可されないということを示しているメッセージを受信することと；
前記ＣＳＧに対応するＣＳＧ識別子（ＩＤ）がオペレータＣＳＧリストに存在しているかどうかを認識することと、なお、前記オペレータＣＳＧリストは、オペ
レータによって制御される読み出し専用リストである；
マニュアルＣＳＧ選択モードについて前記ＵＥにおいて保存された前記オペレータＣＳＧリストに前記ＣＳＧ ＩＤがあるということを前記ＵＥが示すことを阻止することと；  を備える方法。
【請求項６２】
前記ＵＥがオフに切り替えられるまで、ユニバーサル加入者アイデンティティモード（ＵＳＩＭ）がＵＥから取り除かれるまで、または、前記オペレータＣＳＧリストが更新されるまで、の時間期間のうちの少なくとも１つの間、前記ＵＥにおいて保存された前記オペレータＣＳＧリストに前記ＣＳＧ ＩＤがあるということを前記ＵＥが示すことを阻止すること、をさらに備える請求項６１に記載の方法。
【請求項６３】
ユーザ機器（ＵＥ）がクローズド加入者グループ（ＣＳＧ）について認可されないということを示しているメッセージを受信するように；
前記ＣＳＧに対応するＣＳＧ識別子（ＩＤ）がオペレータＣＳＧリストに存在しているかどうかを認識するように、なお、前記オペレータＣＳＧリストは、オペ
レータによって制御される読み出し専用リストである；
マニュアルＣＳＧ選択モードについて前記ＵＥにおいて保存された前記オペレータＣＳＧリストに前記ＣＳＧ ＩＤがあるということを前記ＵＥが示すことを阻止するように；  構成された少なくとも１つのプロセッサ、
を備える無線通信装置。
【請求項６４】
ＵＥがオフに切り替えられるまで、ユニバーサル加入者アイデンティティモード（ＵＳＩＭ）がＵＥから取り除かれるまで、または、オペレータＣＳＧリストが更新されるまで、の時間期間のうちの少なくとも１つの間、前記ＵＥにおいて保存された前記オペレータＣＳＧリストに前記ＣＳＧ ＩＤがあるということを前記ＵＥが示すことを阻止するように
構成された少なくとも１つのプロセッサ、
をさらに備える請求項６３に記載の無線通信装置。
【請求項６５】
ユーザ機器（ＵＥ）がクローズド加入者グループ（ＣＳＧ）について認可されないということを示しているメッセージを受信するための手段と；
マニュアルＣＳＧ選択モードについて前記ＵＥにおいて保存されたオペレータＣＳＧリストに、前記ＣＳＧに対応するＣＳＧ識別子（ＩＤ）があるということを前記ＵＥが示すことを阻止するための手段と、なお、前記オペレータＣＳＧリストは、オペレータによって制御される読み出し専用リストである；
を備える装置。
【請求項６６】
前記ＣＳＧに対応する前記ＣＳＧ ＩＤがオペレータＣＳＧリストに存在するかどうかを識別するための手段、をさらに備える請求項６５に記載の装置。
【請求項６７】
コンピュータ可読媒体を備えるコンピュータプログラムであって、前記コン
ピュータ可読媒体は、
ユーザ機器（ＵＥ）がクローズド加入者グループ（ＣＳＧ）について認可されないということを示しているメッセージを、少なくとも１つのコンピュータに受信させるためのコードと；
マニュアルＣＳＧ選択モードについて前記ＵＥにおいて保存されたオペレータＣＳＧリストに、前記ＣＳＧに対応するＣＳＧ識別子（ＩＤ）があるということを前記ＵＥが示すことを、少なくとも１つのコンピュータに阻止させるためのコードと、なお、前記オペレータＣＳＧリストは、オペレータによって制御される読み出し専用リストである；
を備える、
コンピュータプログラム。
【請求項６８】
前記コンピュータ可読媒体は、前記ＣＳＧに対応する前記ＣＳＧ ＩＤが前記オペレータＣＳＧリストに存在するかどうかを少なくとも１つのコンピュータに識別させるためのコード、をさらに備える、請求項６７に記載のコンピュータプログラム。
【請求項６９】
マニュアル選択についてユーザ機器（ＵＥ）に保存されたオペレータＣＳＧリストに含まれるクローズド加入者グループ（ＣＳＧ）識別子（ＩＤ）のリストをレンダリングするディスプレイコンポーネントと、なお、前記オペレータＣＳＧリストは、オ
ペレータによって制御される読み出し専用リストである；
前記ユーザ機器（ＵＥ）がＣＳＧについて認可されないということを示しているメッセージを受信する禁止されたＣＳＧ管理コンポーネントと；
前記ＣＳＧに対応するＣＳＧ ＩＤがマニュアルＣＳＧ選択について前記ＵＥにおいて保存された前記オペレータＣＳＧリストにあるということをディスプレイコンポーネントが示すことを阻止するフィルタコンポーネントと；
を備える装置。
【請求項７０】
前記フィルタコンポーネントは、ＵＥがオフに切り替えられるまで、ユニバーサル加入者アイデンティティモード（ＵＳＩＭ）が前記ＵＥから取り除かれるまで、または、前記オペレータＣＳＧリストが更新されるまで、の時間期間のうちの少なくとも１つの間、前記ＵＥにおいて保存された前記オペレータＣＳＧリストに前記ＣＳＧに対応する前記ＣＳＧ ＩＤがあるということをディスプレイコンポーネントが示すことを阻止する、請求項６９に記載の装置。
【発明の詳細な説明】
【優先権主張】
【０００１】
(米国特許法の下の優先権主張)
本願は、下記の優先権：２００９年２月９日に出願され「SYSTEMS AND METHODS TO MANAGE ACCESS CONTROL TO CLOSED SUBSCRIBER GROUPS」と題された仮出願番号第６１／１５１，０８６号、２００９年６月２５日に出願され「MANAGEMENT OF OPERATOR CSG LIST AND VPLMN-AUTONOMOUS CSG ROAMING」と題された仮出願番号第６１／２２０，５３６号、２００９年７月６日に出願され「MANAGEMENT OF OPERATOR CSG LIST AND VPLMNAUTONOMOUS CSG ROAMING」と題された仮出願番号第６１／２２３，３４２号、２００９年７月１７日に出願され「MANAGEMENT OF OPERATOR CSG LIST AND VPLMN-AUTONOMOUS CSG ROAMING」と題された仮出願番号第６１／２２６，５２０号、２００９年９月２４日に出願され「MANAGEMENT OF OPERATOR CSG LIST AND VPLMNAUTONOMOUS CSG ROAMING」と題された仮出願番号第６１／２４５，６１６号、２００９年１０月２２日に出願され「MANAGEMENT OF OPERATOR CSG LIST AND VPLMN-AUTONOMOUS CSG ROAMING」と題された仮出願番号第６１／２５４，１５０号、を主張する。前述の仮出願は、ここでの譲受人に譲渡され、ここにおける参照によりここによって明示的に組み込まれる。
【背景】
【０００２】
（分野）
下記の説明は、一般的には無線通信に関し、より具体的には、無線通信環境におおいてクローズド加入者グループ（ＣＳＧ(Closed Subscriber Groups)）セルへのアクセス制御を管理することに関する。
【０００３】
（背景）
無線通信システムは、例えばボイス、データなどのような様々なタイプの通信コンテンツを提供するように広く展開されている。一般的な無線通信システムは、利用可能なシステムリソース（例、帯域幅及び伝送パワー、・・・）を共有することによって、複数ユーザとの通信をサポートすることができる多元接続システムであることができる。このような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、及び同様なものを含むことができる。さらに、システムは、第３世代パートナーシッププロジェクト（３ＧＰＰ）、３ＧＰＰロングタームエボリューション（ＬＴＥ）、ウルトラモバイルブロードバンド（ＵＭＢ）、のような仕様書、及び／または、最適化されるエボリューションデータ（ＥＶ−ＤＯ）のようなマルチキャリア無線仕様、それらの１つまたは複数の改定版等にあわせることができる。
【０００４】
一般的に、無線多元接続通信システムは、複数のユーザ機器（ＵＥ(user equipment)）のための通信を同時にサポートすることができる。各ＵＥは、順方向リンクと逆方向リンク上の送信を介して１つまたは複数の基地局と通信することができる。順方向リンク（あるいはダウンリンク）は、基地局からＵＥまでの通信リンクを指し、逆方向リンク（あるいはアップリンク）はＵＥから基地局までの通信リンクを指す。さらに、ＵＥと基地局との間の通信リンクは、シングルインプットシングルアウトプット（ＳＩＳＯ）システム、マルチプルインプットシングルアウトプット（ＭＩＳＯ）システム、マルチプルインプットマルチプルアウトプット（ＭＩＭＯ）システム、などを介して確立されることができる。さらに、ピア・ツー・ピア(peer-to-peer)無線ネットワーク構成において、ＵＥは他のＵＥと（及び／または、基地局は他の基地局と）通信することができる。
【０００５】
異種の無線通信システムは、様々なタイプの基地局を一般的に含むことができ、それらのそれぞれは、異なるセルサイズと関連づけられることができる。例えば、マクロセル基地局は、マスト(masts)、ルーフトップ(rooftops)、他の存在するストラクチャ、または同様なものでインストールされたアンテナ（単数または複数）を一般的にレバレッジ(leverage)する。さらに、マクロセル基地局は、しばしば、約数十ワットのパワー出力を有し、大きなエリアに対してカバレッジを提供することができる。フェムトセル基地局(femto cell base station)は、最近出てきた別のクラスの基地局である。フェムトセル基地局は、家庭または小規模の企業の環境のために一般的に設計されており、無線技術（例、３ＧＰＰユニバーサルモバイルテレコミュニケーションシステム（ＵＭＴＳ;Universal Mobile Telecommunications System）またはロングタームエボリューション（ＬＴＥ）、１ｘエボリューション-データ最適化（１ｘＥＶ−ＤＯ）、・・・）を使用してＵＥに対して無線カバレッジを提供し、バックホール（backhaul）のために既存のブロードバンドインターネット接続（例、デジタル加入者ライン（ＤＳＬ）、ケーブル、・・・）とＵＥと通信することができる。フェムトセル基地局はまた、ホーム発展型ノードＢ（ＨｅＮＢ）、ホームノードＢ（ＨＮＢ）、フェムトセル、または同様なもの、とも呼ばれることができる。他のタイプの基地局の例は、ピコセル基地局、ミクロセル基地局などを含む。
【０００６】
いくつかのシナリオでは、いくつかのフェムトセル基地局またはネットワークにおける他の基地局は、ある方式でアクセスについて制約されることができる。例えば、ネットワークにおける異なる複数の基地局は、異なる複数のクローズド加入者グループ（ＣＳＧ）に属することができる。様々なシチュエーションでは、ＵＥとネットワークとの間の同期の欠如によりアクセス制御問題が生じる可能性がある。より具体的には、ＵＥはアクセスすることが許可された基地局を識別するためにある形式のリスト（例、ホワイトリスト（whitelist）、・・・）をＵＥは使用することができる。ＵＥによって保持されたリストは、読み出し専用でオペレータ制御であることができる。さらに、ネットワークは同等なリストを有することができる。ＵＥがＣＳＧから取り除かれる場合に、問題が生じる可能性がある。例えば、ＵＥがＣＳＧから取り除かれ、ＣＳＧからＣＳＧセル（CSG cell)にＵＥがアクセスすることを試みる前にＵＥによって保存されたリストが更新されない場合には、ＵＥは、ＵＥがこのＣＳＧについての認可（authorization）を欠くということを示している拒否メッセージ(reject message)を受信することができる。さらに、ＵＥによって保存されたリストが読み出し専用なので、ＵＥは、ＵＥによって保存されたリストにおけるエントリを変更するように認可されることができない、したがって、このような保存されたリストからＣＳＧを取り除くことができない。ＣＳＧがＵＥによって保存されたリストにいまだに含まれていると、ＵＥは、ＣＳＧからＣＳＧセルにアクセスすることを再び試みることができ、そして、ＵＥがこのＣＳＧについての認可を欠くということを示している拒否メッセージを再び受信することができる。
【発明の概要】
【０００７】
以下は、そのような態様の基本的な理解を提供するために、１つまたは複数の態様の簡略な概要(summary)を提示する。この概要は、すべての予期された態様の広範囲な全体像ではなく、すべての態様の重要なあるいは決定的なエレメントを識別することも、あるいは、任意のまたはすべての態様の範囲を詳細に描写することも、意図されていない。その唯一の目的は、後で示される、より詳細な説明の前置きとして、簡略化された形式で1つまたは複数の態様のいくつかの概念(concepts)を提示することである。
【０００８】
１つまたは複数の実施形態およびその対応する開示にしたがって、無線通信環境におけるクローズド加入者グループ（ＣＳＧ）へのアクセス制御の管理を容易にすることに関連して様々な態様が説明されている。ユーザ機器（ＵＥ）は、オペレータＣＳＧリストを保存することができ、そしてそれは、読み出し専用であり、オペレータによって制御されることができる。さらに、オペレータＣＳＧリストは、ネットワークに保持されるＵＥについてのＣＳＧ加入に対して同期を欠く可能性がある。したがって、ＵＥのオペレータＣＳＧリストに含まれる対応ＣＳＧ識別子（ＩＤ）を備えた、ＣＳＧと関連づけられたＣＳＧセルにアクセスすることを選択すると、ＵＥがＣＳＧについての認可を欠くということを示す拒否メッセージが受信されることができる。さらに、ＣＳＧ ＩＤ(Identifier)がオペレータＣＳＧリストに含まれるとき、拒否メッセージを受信することに応じて１セットの禁止された（forbidden）ＣＳＧ ＩＤにおいてＵＥの禁止されたＣＳＧ ＩＤとしてＣＳＧ ＩＤは保存されることができる。
【０００９】
関連態様にしたがって、方法がここにおいて説明される。方法は、ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択すること、を含むことができ、オペレータＣＳＧリストは、読み出し専用で、オペレータによって制御される。さらに、方法は、ＵＥがＣＳＧについての認可を欠くということを示す拒否メッセージを受信すること、を含むことができる。さらに、方法は、ＣＳＧ ＩＤがオペレータＣＳＧリストに含まれるとき、拒否メッセージを受信することに応じて１セットの禁止されたＣＳＧ ＩＤにおいてＵＥの禁止されたＣＳＧ ＩＤとしてＣＳＧ ＩＤを保存すること、を含むことができる。
【００１０】
別の態様は、無線通信装置に関する。無線通信装置はまた、少なくとも１つのプロセッサを含むことができる。少なくとも１つのプロセッサは、ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択するように構成されることができ、オペレータＣＳＧリストは、読み出し専用で、オペレータによって制御される。さらに、少なくとも１つのプロセッサは、ＵＥがＣＳＧについての認可を欠くということを示す拒否メッセージを受信するように構成されることができる。さらに、少なくとも１つのプロセッサは、ＣＳＧ ＩＤがオペレータＣＳＧリストに含まれるとき、拒否メッセージを受信することに応じて１セットの禁止されたＣＳＧ ＩＤにおいてＵＥの禁止されたＣＳＧ ＩＤとしてＣＳＧ ＩＤを保持するように構成されることができる。
【００１１】
さらに、別の態様は装置に関する。装置は、ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択するための手段、を含むことができ、オペレータＣＳＧリストは、読み出し専用で、オペレータによって制御される。さらに、装置は、ＣＳＧ ＩＤがオペレータＣＳＧリストに含まれるとき、ＵＥがＣＳＧについての認可を欠くということを示す拒否メッセージを受信することに応じて禁止されたＣＳＧ ＩＤとしてＣＳＧ ＩＤを保存するための手段、を含むことができる。
【００１２】
さらに、別の態様は、コンピュータ可読媒体を備えることができるコンピュータプログラムプロダクトに関する。コンピュータ可読媒体は、ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを少なくとも１つのコンピュータに選択させるためのコード、を含むことができ、オペレータＣＳＧリストは、読み出し専用で、オペレータによって制御される。さらに、コンピュータ可読媒体は、ＣＳＧ ＩＤがオペレータＣＳＧリストに含まれるとき、ＵＥがＣＳＧについての認可を欠くということを示す拒否メッセージを受信することに応じて禁止されたＣＳＧ ＩＤとしてＣＳＧＩＤを少なくとも１つのコンピュータに保存させるためのコード、を含むことができる。
【００１３】
さらに別の態様は、ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択する選択コンポーネントを含むことができる装置に関し、オペレータＣＳＧリストは、読み出し専用で、オペレータによって制御される。さらに、装置は、ＣＳＧ ＩＤがオペレータＣＳＧリストに含まれるとき、ＵＥがＣＳＧについての認可を欠くということを示す拒否メッセージを受信することに応じて１セットの禁止されたＣＳＧ ＩＤにおいて禁止されたＣＳＧ ＩＤとしてＣＳＧ ＩＤを保存する禁止されたＣＳＧ管理コンポーネントを含むことができる。
【００１４】
他の態様にしたがって、方法がここにおいて説明される。方法は、ユーザ機器（ＵＥ）がクローズド加入者グループ（ＣＳＧ）について認可されないということを示しているメッセージを受信することを含むことができる。さらに、方法は、ＣＳＧに対応するＣＳＧ識別子（ＩＤ）がオペレータＣＳＧリストに存在しているかどうかを認識することを含むことができ、オペレータＣＳＧリストは読み出し専用で、オペレータによって制御される。方法はまた、ＣＳＧ ＩＤがオペレータＣＳＧリストに存在するとき、セル選択についてアクセスストラタムに対して提供される許可されたＣＳＧアイデンティティ(identity)のリストにＣＳＧ ＩＤを含めることを阻止すること、を含むことができる。
【００１５】
別の態様は、無線通信装置に関する。無線通信装置はまた、少なくとも１つのプロセッサを含むことができる。少なくとも１つのプロセッサは、ユーザ機器（ＵＥ）がクローズド加入者グループ（ＣＳＧ）について認可されないということを示しているメッセージを受信するように構成されることができる。少なくとも１つのプロセッサは、ＣＳＧに対応するＣＳＧ識別子（ＩＤ）がオペレータＣＳＧリストに存在しているかどうかを認識するようにさらに構成されることができ、オペレータＣＳＧリストは読み出し専用で、オペレータによって制御される。さらに、少なくとも１つのプロセッサは、ＣＳＧ ＩＤがオペレータＣＳＧリストに存在するとき、セル選択についてアクセスストラタム（Access Stratum  (AS)）に対して提供される許可されたＣＳＧアイデンティティのリストにＣＳＧＩＤを含めることを阻止するように構成されることができる。
【００１６】
さらに、別の態様は装置に関する。装置は、ユーザ機器（ＵＥ）がクローズド加入者グループ（ＣＳＧ）について認可されないということを示しているメッセージを受信するための手段、を含むことができる。さらに、装置は、ＣＳＧ ＩＤがオペレータＣＳＧリストに存在するとき、セル選択についてアクセスストラタム（ＡＳ）に対して提供される許可されたＣＳＧ ＩＤのリストにＣＳＧに対応するＣＳＧ識別子（ＩＤ）を含めることを阻止するための手段を含むことができ、オペレータＣＳＧリストは、読み出し専用であり、オペレータによって制御される。
【００１７】
さらに、別の態様は、コンピュータ可読媒体を備えることができるコンピュータプログラムプロダクトに関する。コンピュータ可読媒体は、ユーザ機器（ＵＥ）がクローズド加入者グループ（ＣＳＧ）について認可されないということを示しているメッセージを少なくとも１つのコンピュータに受信させるためのコード、を含むことができる。さらに、コンピュータ可読媒体は、ＣＳＧ ＩＤがオペレータＣＳＧリストに存在するとき、セル選択についてアクセスストラタム（ＡＳ）に対して提供される許可されたＣＳＧ ＩＤのリストにＣＳＧに対応するＣＳＧ識別子（ＩＤ）を含めることを少なくとも１つのコンピュータに阻止させるためのコードを含むことができ、オペレータＣＳＧリストは、読み出し専用であり、オペレータによって制御される。
【００１８】
さらに別の態様は、クローズド加入者グループ（ＣＳＧ）についてユーザ機器（ＵＥ）が認可されないということを示しているメッセージを受信する禁止されたＣＳＧ管理コンポーネントを含むことができる装置に関する。さらに、装置は、ＣＳＧ ＩＤがオペレータＣＳＧリストに存在するとき、セル選択についてアクセスストラタム（ＡＳ）に対して提供される許可されたＣＳＧ ＩＤのリストにＣＳＧに対応するＣＳＧ識別子（ＩＤ）を含めることを阻止するフィルタコンポーネントを含むことができ、オペレータＣＳＧリストは、読み出し専用であり、オペレータによって制御される。
【００１９】
他の態様にしたがって、方法がここにおいて説明される。方法は、ユーザ機器（ＵＥ）がクローズド加入者グループ（ＣＳＧ）について認可されないということを示しているメッセージを受信することを含むことができる。さらに、方法は、ＣＳＧに対応するＣＳＧ識別子（ＩＤ）がオペレータＣＳＧリストに存在しているかどうかを認識することを含むことができ、オペレータＣＳＧリストは読み出し専用で、オペレータによって制御される。さらに、方法は、マニュアルＣＳＧ選択モード(manual CSG selection mode)について、ＵＥにおいて保存されたオペレータＣＳＧリストに、ＣＳＧ ＩＤがあるということをＵＥが示すことを阻止することを含むことができる。
【００２０】
別の態様は、無線通信装置に関する。無線通信装置はまた、少なくとも１つのプロセッサを含むことができる。少なくとも１つのプロセッサは、ユーザ機器（ＵＥ）がクローズド加入者グループ（ＣＳＧ）について認可されないということを示しているメッセージを受信するように構成されることができる。さらに、少なくとも１つのプロセッサは、ＣＳＧに対応するＣＳＧ識別子（ＩＤ）がオペレータＣＳＧリストに存在しているかどうかを認識するようにさらに構成されることができ、オペレータＣＳＧリストは読み出し専用で、オペレータによって制御される。さらに、少なくとも１つのプロセッサは、マニュアルＣＳＧ選択モードについて、ＵＥにおいて保存されたオペレータＣＳＧリストに、ＣＳＧＩＤがあるということをＵＥが示すことを阻止するように構成されることができる。
【００２１】
さらに、別の態様は装置に関する。装置は、ユーザ機器（ＵＥ）がクローズド加入者グループ（ＣＳＧ）について認可されないということを示しているメッセージを受信するための手段、を含むことができる。装置は、マニュアルＣＳＧ選択モードについて、ＵＥにおいて保存されたオペレータＣＳＧリストに、ＣＳＧに対応するＣＳＧ識別子（ＩＤ）があるということをＵＥが示すことを阻止するための手段、をさらに含むことができ、オペレータＣＳＧリストは、読み出し専用であり、オペレータによって制御される。
【００２２】
さらに、別の態様は、コンピュータ可読媒体を備えることができるコンピュータプログラムプロダクトに関する。コンピュータ可読媒体は、ユーザ機器（ＵＥ）がクローズド加入者グループ（ＣＳＧ）について認可されないということを示しているメッセージを少なくとも１つのコンピュータに受信させるためのコード、を含むことができる。さらに、コンピュータ可読媒体は、マニュアルＣＳＧ選択モードについて、ＵＥにおいて保存されたオペレータＣＳＧリストに、ＣＳＧに対応するＣＳＧ識別子（ＩＤ）があるということを示すことをＵＥに少なくとも１つのコンピュータに阻止させるためのコード、を含むことができ、オペレータＣＳＧリストは、読み出し専用であり、オペレータによって制御される。
【００２３】
さらに、別の態様は、マニュアル選択についてユーザ機器（ＵＥ）に保存されたオペレータＣＳＧリストに含まれるクローズド加入者グループ（ＣＳＧ）識別子（ＩＤ）のリストをレンダリングする（render）ディスプレイコンポーネントを含むことができる装置に関し、オペレータＣＳＧリストは、読み出し専用でオペレータによって制御される。さらに、装置は、ＵＥがＣＳＧについて認可されないということを示しているメッセージを受信する禁止されたＣＳＧ管理コンポーネントを含むことができる。さらに、装置は、マニュアルＣＳＧ選択について、ＵＥにおいて保存されたオペレータＣＳＧリストに、ＣＳＧに対応するＣＳＧ ＩＤがあるということをディスプレイコンポーネントが示すことを阻止する、フィルタコンポーネントを含むことができる。
【００２４】
前述及び関連の目的の達成のために、1つまたは複数の態様は、ここで十分に説明され、特許請求の範囲で特に指摘された特徴を備えることができる。下記の説明及び添付図面は、1つまたは複数の態様のある説明の特徴を詳細に記載している。しかしながら、これらの特徴は、様々な態様の原理が利用されることができる様々な方法のうちのいくつかを示しているが、この説明は、すべてのそのような態様及びそれらの均等(equivalents)を含むように意図されている
【図面の簡単な説明】
【００２５】
【図１】図１は、ここに記載される様々な態様に従った、無線通信ネットワークの図である。
【図２】図２は、無線通信環境におけるＵＥとネットワークとの間の同期の欠如から回復することをサポートする例示的なシステムの図である。
【図３】図３は、無線通信環境におけるアクセスに利用可能なＣＳＧセルを識別する例示的なシステムの図である。
【図４】図４は、無線通信環境におけるＣＳＧ選択を実行する例示的なシステムの図である。
【図５】図５は、無線通信環境におけるＵＥのオペレータＣＳＧリストをプロビジョンする例示的なシステムの図である。
【図６】図６は、ネットワーク環境内のアクセスポイント基地局（例、フェムトセル基地局、・・・）の配置をイネーブルにする例示的なシステムの図である。
【図７】図７は、無線通信環境におけるクローズド加入者グループ（ＣＳＧ）サポートを提供する例示的なシステムの図である。
【図８】図８は、無線通信環境における同期の欠如から回復することを容易にする例示的な方法の図である。
【図９】図９は、無線通信環境におけるアクセスについて適切なセルを識別することを容易にする例示的な方法の図である。
【図１０】図１０は、無線通信環境における、マニュアルＣＳＧ選択モードについて、オペレータＣＳＧリストにおけるエントリをディスプレイすることを容易にする例示的な方法の図である。
【図１１】図１１は、無線通信システムにおけるＣＳＧへのアクセス制御を管理する例示的なＵＥの図である。
【図１２】図１２は、無線通信環境におけるアクセスをサポートする例示的なシステムの図である。
【図１３】図１３は、ここに記載される様々なシステム及び方法に併せて利用されることができる例示的な無線ネットワーク環境の図である。
【図１４】図１４は、無線通信環境におけるアクセス制御を管理することをイネーブルにする例示的なシステムの図である。
【図１５】図１５は、無線通信環境におけるアクセスに適切なＣＳＧセルを検出することをイネーブルにする例示的なシステムの図である。
【図１６】図１６は、無線通信環境におけるマニュアルＣＳＧ選択モードと関連してＣＳＧ ＩＤをディスプレイすることをイネーブルにする例示的なシステムの図である。
【詳細な説明】
【００２６】
様々な態様が、図面を参照して説明されている。下記の説明では、説明の目的のために、多くの具体的な詳細が、1つまたは複数の態様の完全な理解を提供するために記載されている。しかしながら、このような態様(単数または複数)はこれらの特定の詳述なしに実行されうるということは、明白である。
【００２７】
本願で使用されるように、用語「コンポーネント(component)」、「モジュール(module)」、「システム(system)」及び同様なものは、例えば、ハードウェア、ファームウェア、ハードウェアとソフトウェアの組み合わせ、ソフトウェア、あるいは実行中のソフトウェア、のようなコンピュータ関連のエンティティを含むように意図されている。例えば、コンポーネントは、限定されてはいないが、プロセッサ上で実行しているプロセス、プロセッサ、オブジェクト(object)、実行ファイル(executable)、実行スレッド(thread of execution)、プログラム、及び/またはコンピュータ、であることができる。例として、通信デバイス上で実行中のアプリケーションとコンピューティングデバイスの両方はコンポーネントであることができる。１つまたは複数のコンポーネントは、プロセス及び/または実行スレッド内に常駐することができ、また、コンポーネントは、１つのコンピュータ上に局在化されることができ、および/または、２以上のコンピュータの間で分散されることができる。さらに、これらのコンポーネントは、そこに記憶された様々なデータ構造を有している様々なコンピュータ可読媒体から実行することが出来る。コンポーネントは、ローカルな、および/または、遠隔のプロセスで通信することができ、例えば、ローカルシステムにおいて、分散システムにおいて、及び/または、信号の方法で他のシステムを用いたインターネットのようなネットワークにわたって、別のコンポーネントと相互作用している１つのコンポーネントからのデータのような、１つまたは複数のデータパケットを有する信号にしたがっている。
【００２８】
さらに、様々な態様は、端末に関連してここに説明されており、該端末は、有線端末、または、無線端末であることができる。端末は、システム、デバイス、加入者ユニット、加入者局、モバイル局、モバイル、モバイルデバイス、遠隔局、遠隔端末、アクセス端末、ユーザ端末、端末、通信デバイス、ユーザエージェント、ユーザデバイス、あるいはユーザ機器(ＵＥ)とも呼ばれることができる。無線端末は、セルラ電話、衛星電話(satellite phone)、コードレス電話、セッションイニシエーションプロトコル(Session Initiation Protocol)(ＳＩＰ)電話、無線ローカルループ(wireless local loop)(ＷＬＬ)局、携帯情報端末(personal digital assistant)(ＰＤＡ)、無線接続機能を有するハンドヘルドデバイス、コンピューティングデバイス、あるいは無線モデムに接続された他のプロセッシングデバイス、であることができる。さらに、様々な態様が基地局と関連してここにおいて説明される。基地局は、無線端末（単数または複数）と通信するために使用されることができ、また、アクセスポイント、ノードＢ、発展型ノードＢ（ｅＮｏｄｅＢ、ｅＮＢ）、フェムトセル、ピコセル、マイクロセル、マクロセル、ホーム発展型ノードＢ（ＨｅＮＢ）、ホームノードＢ（ＨＮＢ）、または他の用語でも呼ばれることができる。
【００２９】
さらに、用語「あるいは(or)」は、排他的な「あるいは(or)」よりもむしろ包括的な「あるいは(or)」を意味するように意図されている。すなわち、指定されていないかぎり、あるいは、文脈から明瞭でないかぎり、フレーズ「ＸはＡあるいはＢを利用する(X employs A or B)」は、自然な包括置換のうちのいずれかを意味するように意図されている。すなわち、フレーズ「ＸはＡまたはＢを使用する」は、次の例である「ＸはＡを使用する」、「ＸはＢを使用する」、あるいは、「ＸはＡとＢの両方を使用する」のうちのいずれかによって満たされる。さらに、本願及び特許請求項の範囲で使用される、冠詞「ａ」及び「ａｎ」は、指定されていないかぎり、あるいは、単数形に指図されることが文脈から明らかでないかぎり、「１つまたは複数」を意味するように一般的に解釈されるべきである。
【００３０】
ここにおいて説明される様々な技法は様々な無線通信システム、例えば、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および他のそのようなシステムのために使用されることができる。用語「システム(system)」及び「ネットワーク(network)」はしばしば互換性をもって使用される。ＣＤＭＡシステムは、ユニバーサル地上ブロードキャストアクセス（ＵＴＲＡ）、ｃｄｍａ２０００などの無線技術をインプリメントすることができる。ＵＴＲＡは、広帯域ＣＤＭＡ（Ｗ−ＣＤＭＡ）及びＣＤＭＡの他の変形を含む。さらに、ｃｄｍａ２０００は、ＩＳ−２０００、ＩＳ−９５、及びＩＳ−８５６標準をカバーする。ＴＤＭＡシステムは、移動通信のためのグローバルシステム（ＧＳＭ(登録商標)）のような無線技術をインプリメントすることができる。ＯＦＤＭＡシステムは、発展型ＵＴＲＡ（Ｅ−ＵＴＲＡ）、ウルトラモバイルブロードバンド(Ultra Mobile Broadband)（ＵＭＢ）、ＩＥＥＥ８０２．２０（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などのような無線技術をインプリメントすることができる。ＵＴＲＡとＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳのリリースであり、そしてそれは、ダウンリンク上でＯＦＤＭＡを、アップリンク上でＳＣ−ＦＤＭＡを、利用する。ＵＴＲＡ、Ｅ−ＵＴＲＡ、ＬＴＥ及びＧＳＭは、「第３世代パートナーシッププロジェクト(3rd Generation Partnership Project)」（３ＧＰＰ）と称する組織の文書の中で説明されている。さらに、ＣＤＭＡ２０００及びウルトラモバイルブロードバンド（ＵＭＢ）は、「第３世代パートナーシッププロジェクト２(3rd Generation Partnership Project 2)」（３ＧＰＰ２）と称された組織の文書の中で説明されている。さらに、そのような無線通信システムは、ペアでないライセンスされていないスペクトラム(unpaired unlicensed spectrums)、８０２．ｘｘ無線ＬＡＮ、ＢＬＵＥＴＯＯＴＨ(登録商標)、及びいずれの他の短距離のあるいは長距離の無線通信技術をしばしば使用している、ピア・ツー・ピア（例、モバイル・ツー・モバイル）アドホックネットワークシステムを追加的に含むことができる。
【００３１】
シングルキャリア周波数分割多元接続（ＳＣ−ＦＤＭＡ）は、シングルキャリア変調と周波数ドメインイコライゼーションを使用する。ＳＣ−ＦＤＭＡは、ＯＦＤＭＡシステムのものと実質的には同じ全体的な複雑さと同様な性能を有する。ＳＣ−ＦＤＭＡ信号は、その特有のキャリアストラクチャ(inherent single carrier structure)のため、ピーク電力と平均電力の比（ＰＡＰＲ）を有する。ＳＣ−ＦＤＭＡは、例えば、伝送電力の効率という観点からより低いＰＡＰＲがアクセス端末に大いに利益をもたらすアップリンク通信において、使用されることができる。したがって、ＳＣ−ＦＤＭＡは、３ＧＰＰロングタームエボリューション（ＬＴＥ）または発展型ＵＴＲＡにおいてアップリンク多元接続スキームとしてインプリメントされることができる。
【００３２】
さらに、ここに説明された様々な態様あるいは特徴は、標準プログラミングおよび/またはエンジニアリング技法を使用して、方法、装置、あるいは、製造品(article of manufacture)として、インプリメントされることができる。ここにおいて使用される用語「製造品(article of manufacture)」は、いずれのコンピュータ可読デバイス、キャリア、あるいは媒体からアクセス可能なコンピュータプログラムを含むように意図されている。例えば、コンピュータ可読媒体は、限定されてはいないが、磁気ストレージデバイス(例、ハードディスク、フロッピー(登録商標)ディスク、磁気ストリップ(magnetic strips)…)、光学ディスク(例、コンパクトディスク(CD)、デジタル汎用ディスク(digital versatile disk)(DVD)…)、スマートカード、また、フラッシュメモリデバイス(例、カード、スティック、キードライブ等)を含むことができる。さらに、ここに説明されている様々な保存媒体は、１つまたは複数のデバイス、および/または、情報を保存するための他の機械可読媒体を表すことができる。用語「機械可読媒体(machine-readable medium)」は、限定されていないが、命令(単数または複数)及び/またはデータを保存し、含み、及び/または、搬送することができる、無線チャネル及び様々な他の媒体を含むことができる。
【００３３】
図１を参照すると、ここにおいて提示される様々な実施形態にしたがった、無線通信システム１００が図示される。システム１００は、複数のアンテナグループを含むことができる基地局１０２を備える。例えば、あるアンテナグループはアンテナ１０４とアンテナ１０６を含むことができ、別のグループは、アンテナ１０８とアンテナ１１０を備えることができ、追加グループはアンテナ１１２とアンテナ１１４を含むことができる。各アンテナグループについて２つのアンテナが図示されているが、各グループにつき、より多数のアンテナまたはより少数のアンテナが利用されることができる。基地局１０２は、送信機チェインと受信機チェインを含むことができ、それらのそれぞれは、当業者によって理解されるように、信号送信及び受信と関連づけられた複数のコンポーネント（例、プロセッサ、変調器、マルチプレクサ、復調器、デマルチプレクサ、アンテナなど）を代わりに備えることができる。
【００３４】
基地局１０２は、ＵＥ１１６とＵＥ１２２のような１以上のユーザ機器（ＵＥ）と通信することができるが、基地局１０２は、ＵＥ１１６および１２２と類似している実質的には任意の数のＵＥと通信することができるということは、理解されるべきである。ＵＥ１１６および１２２は、例えば、セルラ電話、スマートフォン（smart phones）、ラップトップ、ハンドヘルド通信デバイス、ハンドヘルドコンピューティングデバイス、衛星ラジオ、グローバルポジショニングシステム、ＰＤＡ、及び／または、無線通信システム１００上で通信するためのいずれの他の適切なデバイス、であることができる。図示されるように、ＵＥ１１６は、アンテナ１１２とアンテナ１１４と通信しており、アンテナ１１２とアンテナ１１４は、順方向リンク１１８上でＵＥ１１６に対して情報を送信し、逆方向リンク１２０上でＵＥ１１６から情報を受信する。さらに、ＵＥ１２２は、アンテナ１０４とアンテナ１０６と通信しており、アンテナ１０４とアンテナ１０６は、順方向リンク１２４上でＵＥ１２２に対して情報を送信し、逆方向リンク１２６上でＵＥ１２２から情報を受信する。周波数分割デュプレクス（ＦＤＤ）システムでは、例えば、順方向リンク１１８は、逆方向リンク１２０によって使用されるものとは異なる周波数帯を利用することができ、順方向リンク１２４は、逆方向リンク１２６によって利用されるものとは異なる周波数帯を利用することができる。さらに、時分割デュプレクス（ＴＤＤ）システムでは、順方向リンク１１８と逆方向リンク１２０は、共通の周波数帯を利用することができ、順方向リンク１２４と逆方向リンク１２６は、共通の周波数帯を利用することができる。
【００３５】
各グループのアンテナ、及び／または、それらが通信するように設計されるエリアは、基地局１０２のセクタと呼ばれることができる。例えば、アンテナグループは、基地局１０２によってカバーされるエリアのセクタにおいてＵＥに対して通信するように設計されることができる。順方向リンク１１８および１２４上の通信において、基地局１０２の送信アンテナは、ＵＥ１１６および１２２のための順方向リンク１１８および１２４の信号対雑音比を改善するためにビームフォーミングを利用することができる。また、基地局１０２は、関連づけられたカバレッジを通じてランダムに散在したＵＥ１１６および１２２に対して送信するためにビームフォーミングを利用するが、近隣セルにおけるＵＥは、すべてのそのＵＥに対して単一のアンテナを通じて送信する基地局と比べて、より少ない干渉を受ける可能性がある。
【００３６】
基地局１０２は、いずれのタイプの基地局（例えば、マクロセル基地局、ミクロセル基地局、ピコセル基地局、フェムトセル基地局、・・・）であることができる、ということは予期される。さらに、基地局１０２は、例えば、クローズドアクセスモードにおいて動作することができる。クローズドアクセスモードを利用するとき、基地局１０２は、ＣＳＧ識別子（ＩＤ）によって識別された選択グループのユーザがこのような基地局にアクセスすることを許可される、クローズド加入者グループ（ＣＳＧ）の基地局として、動作することができる。しかしながら、特許請求された主題の事柄はそれほど限定されないということは理解されるべきである（例えば、基地局１０２はハイブリッドアクセスモード、オープンアクセスモード、・・・で動作することができる）。
【００３７】
ＣＳＧ基地局は、ＣＳＧのメンバによってアクセス可能である（例えば、ＣＳＧの非メンバによってアクセス不可能である、・・・）制約された関連づけを備えた基地局を指す。ＣＳＧ基地局はまた、クローズド基地局とも呼ばれることができる。ＣＳＧは、ＵＥの共通のアクセス制御リストを共有する１セットの基地局である。さらに、ＣＳＧ基地局は対応ＣＳＧ ＩＤ(例えば、ＣＳＧアイデンティティ、・・・)を通知することができ、そしてそれは、ＣＳＧ基地局に対応するＣＳＧを指定する。
【００３８】
基地局１０２は、ＵＥ１１６とＵＥ１２２に対して情報をブロードキャストすることができる。ブロードキャストされた情報は、例えば、基地局１０２と関連づけられたＣＳＧを識別するＣＳＧ ＩＤを含むことができる。ＣＳＧ ＩＤは加入者グループに関連づけられた、バイナリベースの識別子である。ＣＳＧ ＩＤは、ＣＳＧ基地局と関連づけられた加入者グループ（例、ＣＳＧ、・・・）を識別するために使用されることができ、そして、ＣＳＧ基地局についての制約された関連づけをサポートするために使用されることができる。ＣＳＧ ＩＤはＣＳＧ基地局と関連づけられたＣＳＧを固有に識別することができるが、特許請求された主題の事柄はそれほど限定されない。さらに、基地局と関連づけられたＣＳＧ ＩＤは、一般的には、インターネットプロトコル（ＩＰ）アドレスに基づいていない。また、１以上の基地局は共通のＣＳＧ ＩＤを共有することができるということは予期されるが、特許請求された主題の事柄はそれほど限定されない。
【００３９】
ＵＥ（例えば、ＵＥ１１６、ＵＥ１２２、・・・）はネットワーク全体でローミングするとき、ＵＥは、ＵＥがアクセスすることを許可された基地局を識別するためにＵＥによって保存されたリスト（例えばホワイトリスト、・・・）を使用することができる。ＵＥによって保持されたリストは、読み出し専用であることができる。さらに、読み出し専用リストは、オペレータによって制御されることができる。例えば、ネットワークがどのＣＳＧにＵＥがアクセスすることを許可されたかについての情報を得るとき、ネットワークノード（例、ＣＳＧリストサーバ、・・・）は、読み出し専用リストを更新するようにＵＥに命令する、ＵＥへのメッセージを送信することができる。例えば、アプリケーションレベルの更新は、ＵＥによって保存された読み出し専用リストを更新するように利用されることができる。例えば、アプリケーションレベルの更新は、無線（ＯＴＡ）プロシージャまたはオープンモバイルアライアンスデバイスマネジメント（ＯＭＡ ＤＭ）プロシージャを使用してオペレータによって管理されることができる。しかし、特許請求された主題は前述に限定されない、ということは理解されるべきである。
【００４０】
ＵＥによって保存され、オペレータによって制御される読み出し専用リストは、オペレータＣＳＧリストと呼ばれることができる。従来のアプローチをインプリメントしているときにＣＳＧからＵＥが取り除かれるとき、問題のあるシナリオが生じる可能性がある。例えば、ＵＥがＣＳＧから取り除かれるとき、また、ＵＥがＣＳＧからＣＳＧセル（例えばＣＳＧ基地局、・・・）にアクセスすることを試みる前にＵＥのオペレータＣＳＧリストが更新されない場合には、ＵＥは、ＵＥがこのＣＳＧについての認可を欠くということを示している拒否メッセージを受信することができる（例えば、拒否メッセージは、ｃａｕｓｅ＃２５を示すことができる-このＣＳＧについて認可されていない、・・・）。オペレータＣＳＧリストは読み出し専用であるので、ＵＥは、オペレータＣＳＧリストからＣＳＧに対応するエントリを取り除くことができない可能性があり、ＵＥはまた、ＣＳＧセルにアクセスすることができない可能性がある（例えば、ＵＥは、ＣＳＧセルにアクセスする許諾を欠く、・・・）。
【００４１】
システム１００は、しばしば従来技術と関連して表される前述の問題のあるシナリオと関連づけられた不利益な影響を緩和することができる。システム１００のＵＥ（例えば、ＵＥ１１６、ＵＥ１２２、・・・）は、認可されていないため、ＣＳＧセル（例えば、ＣＳＧ基地局、・・・）にアクセスすることを回避することができる。より具体的には、ＵＥは、ネットワークにおいてＣＳＧ加入から取り除かれたＣＳＧエントリを保存することができるが、ＵＥによって保持されたオペレータＣＳＧリストに含まれるように継続することができる。したがって、オペレータＣＳＧリストに含まれるＣＳＧ ＩＤを備えた、ＵＥがＣＳＧについての認可を欠くということを示す拒否メッセージを受信すると、ＵＥは、それに応じて、１セットの禁止されたＣＳＧ識別子（ＩＤ）におけるＵＥの禁止されたＣＳＧ ＩＤとしてＣＳＧ ＩＤを保存することができる。１セットの禁止されたＣＳＧＩＤにおいて禁止されたＣＳＧ ＩＤとして保存された対応ＣＳＧ ＩＤを備えた、ＣＳＧと関連づけられたＣＳＧセルは、ＵＥによるアクセスに不適切であるとみなされる場合があり、したがって、対応ＣＳＧ ＩＤが１セットの禁止されたＣＳＧ ＩＤに含まれる間、このようなＣＳＧセルにアクセスすることを選択することをＵＥはやめる。
【００４２】
図２を参照すると、無線通信環境においてネットワークとＵＥとの間の同期の欠如から回復することをサポートするシステム２００が図示される。システム２００は、情報、信号、データ、命令、コマンド、ビット、シンボル、および同様なものを送信および／又は受信することができるＵＥ２０２を含む。さらに、図示されていないが、システム２００は、ＵＥ２０２と実質的に同様であることができる任意の数の異なるＵＥ（単数または複数）を含むことができる。ＵＥ２０２は、順方向リンクおよび／または逆方向リンクを介して基地局２０４と通信することができる。基地局２０４は、情報、信号、データ、命令、コマンド、ビット、シンボル、および同様なものを送信および／または受信することができる。さらに、図示されていないが、基地局２０４と同様な任意の数の基地局がシステム２００に含まれることができる、ということが予期される。さらに、基地局２０４は、いずれのタイプの基地局（例えば、フェムトセル基地局、ピコセル基地局、ミクロセル基地局、マクロセル基地局、・・・）であることができる、ということが予期される。
【００４３】
一例にしたがって、基地局２０４は、ＣＳＧ基地局であることができ、したがって、クローズドアクセスモードで動作することができる。例えば、基地局２０４がＣＳＧ基地局である場合、基地局２０４は、ＣＳＧと関連づけられることができ、ＣＳＧは、ＣＳＧＩＤによって識別されることができる。ＣＳＧは、例えば、ＣＳＧ ＩＤによって固有に（例えば、全体的に(globally)、・・・）識別されることができる。別の例によれば、ＣＳＧは、オペレータネットワークにおいてＣＳＧ ＩＤによって固有に識別されることができる。さらに、基地局２０４は、ＣＳＧ ＩＤに通知することができる。別の例示に準じて、システム２００に含まれる異なる基地局（単数または複数）（図示されず）は、ＣＳＧ基地局（単数または複数）、ハイブリッド基地局（単数または複数）、および／又はオープン基地局（単数又は複数）であることができる。したがって、システム２００は、ある基地局がハイブリッドで他の基地局がＣＳＧまたはオープンであるような、混在した基地局の配置を利用することができる。この説明に従い、ＣＳＧ基地局（単数または複数）である異なる基地局（単数または複数）は、それぞれのＣＳＧ（単数または複数）と関連づけられることができ、それぞれのＣＳＧ（単数または複数）のそれぞれは、それぞれのＣＳＧ ＩＤ（単数または複数）に対応することができる。
【００４４】
さらに、システム２００は、１つまたは複数のネットワークノード（単数または複数）２０６を含むことができる。例えば、ＣＳＧプロビジョニングとアクセス制御のためのユニバーサル地上無線アクセスネットワーク（ＵＴＲＡＮ）アーキテクチャが利用されることができる。この例に従うと、ネットワークノード（単数または複数）２０６は、モバイル交換センタ（ＭＳＣ）／ビジターロケーション登録（ＶＬＲ）、サービングジェネラルパケット無線サービス（ＧＰＲＳ）のサポートノード（ＳＧＳＮ）、ゲートウェイＧＰＲＳサポートノード（ＧＧＳＮ）、ホーム加入者サーバ（ＨＳＳ）／ホームロケーション登録（ＨＬＲ）、ポリシおよびチャージングルール関数（ＰＣＲＦ）等を含むことができる。別の例では、ＣＳＧプロビジョニングおよびアクセス制御のための発展型ユニバーサル地上無線アクセスネットワーク（Ｅ−ＵＴＲＡＮ）アーキテクチャが利用されることができる。この例に準じて、ネットワークノード（単数または複数）２０６は、パケットデータネットワークゲートウェイ（ＰＧＷ）、サービングゲートウェイ（ＳＧＷ）、モビリティ管理エンティティ（ＭＭＥ）、ＨＳＳ／ＨＬＲ、ＰＣＲＦ、および同様なもの、を含むことができる。さらに、図示されていないが、システム２００は、例えばＣＳＧリストサーバ、ＣＳＧアドミニストレーションサーバなどのようなＣＳＧプロビジョニングエレメントを含むことができる。しかしながら、特許請求された主題は例示的なアーキテクチャに限定されない、ということは理解されるべきである。
【００４５】
ＵＥ２０２は、オペレータＣＳＧリスト２０８を含むことができる。オペレータＣＳＧリスト２０８は、ＵＥ２０２に保存されることができ、限定的なオペレータ制御の下にあることができる。オペレータＣＳＧリスト２０８は、ＣＳＧ ＩＤ、および／または、加入者が属するＣＳＧの関連パブリックランドモバイルネットワーク（ＰＬＭＮ）アイデンティティを含むことができる。オペレータＣＳＧリスト２０８は、例えば、ＵＥ２０２のユニバーサル加入者アイデンティティモジュール（ＵＳＩＭ;Universal Subscriber Identity Module）（図示されず）（または、加入者アイデンティティモジュール（ＳＩＭ；Subscriber Identity Module）（図示されず））に保存されることができる。しかしながら、オペレータＣＳＧリスト２０８は、ＵＥ２０２のいずれの他のタイプのメモリ（図示されず）に保持されることができる、ということはさらに予期される。メモリは、揮発性メモリ又は不揮発性メモリのいずれかであることができ、または、揮発性メモリと不揮発性メモリの両方を含むことができる。限定ではなく、例として、不揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、あるいはフラッシュメモリ、を含むことが出来る。揮発性メモリは、外部キャッシュメモリとして作用するランダムアクセスメモリ（ＲＡＭ）を含むことが出来る。限定ではなく、例として、ＲＡＭは、シンクロナスＲＡＭ（ＳＲＡＭ）、動的ＲＡＭ（ＤＲＡＭ）、シンクロナスＤＲＡＭ（ＳＤＲＡＭ）、ダブルデータレートＳＤＲＡＭ（ＤＤＲＳＤＲＡＭ）、拡張ＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）、のような多くの形式で利用可能である。主題のシステムおよび方法のメモリは、制限されることなく、これらおよびいずれの他の適切なタイプのメモリを備えるように意図される。
【００４６】
オペレータＣＳＧリスト２０８は、ＵＥ２０２によってのみ読み出されることができる。さらに、オペレータＣＳＧリスト２０８は、ＯＭＡ ＤＭプロシージャまたはＯＴＡプロシージャを使用してプロビジョンされることができる。例えば、ＵＥ２０２がリリース９ＵＳＩＭを有する場合にオペレータＣＳＧリスト２０８をプロビジョンするためにＯＴＡプロシージャが使用されることができるが、ＵＥ２０２がプレリリース９ＵＳＩＭを有する場合には、オペレータＣＳＧリスト２０８をプロビジョンするためにＯＭＡＤＭプロシージャが利用されることができる。別の説明として、ＵＥ２０２がリリース８ＵＳＩＭを有する場合にはオペレータＣＳＧリスト２０８をプロビジョンするためにＯＴＡプロシージャが使用されることができるが、ＵＥ２０２がプレリリース８ＵＳＩＭを有する場合にはオペレータＣＳＧリスト２０８をプロビジョンするために使用されることができる。しかし、特許請求された主題は、前述の例に限定されない、ということは理解されるべきである。
【００４７】
さらに、ＵＥ２０２は、ＵＥ２０２のオペレータＣＳＧリスト２０８に含まれる対応ＣＳＧ ＩＤを備えた、ＣＳＧと関連づけられたＣＳＧセル（例えば、基地局２０４、・・・に対応する）にアクセスすることを自動的に選択することができる選択コンポーネント２１０を含むことができる。選択コンポーネント２１０は、マニュアルまたは自動の選択（または再選択）をインプリメントすることができる。マニュアルＣＳＧ選択を利用するとき、選択コンポーネント２１０は、利用可能なＣＳＧセルに対応するＣＳＧ ＩＤがオペレータＣＳＧリスト２０８に存在するまたは存在しないかに関らず、利用可能なＣＳＧセル（例えば、基地局２０４に対応する、異なる基地局（単数または複数）に対応する（図示されず）、・・・）をサーチすることができる。さらに、選択コンポーネント２１０は、選択可能である（例えば、アクセスに適切または受諾可能である、・・・）１セットの利用可能なＣＳＧセルを検出することができ、１セットの利用可能なＣＳＧセルからＵＥ２０２によってアクセスされることが選ばれたマニュアル選択されたＣＳＧセルを識別する入力を受信することができる。
【００４８】
説明によると、利用可能なＣＳＧセル（単数または複数）をサーチするとき、選択コンポーネント２１０は、基地局２０４に対応するＣＳＧを識別する基地局２０４によって送信された通知ＣＳＧ ＩＤ（例えば、１つまたは複数の異なる基地局の通知ＣＳＧ ＩＤ（単数または複数）も同様である、・・・）を得ることができる。さらに、選択コンポーネント２１０は、１セットの利用可能なＣＳＧセルからマニュアル選択されたＣＳＧセルに関係している入力を得ることができる。例えば、入力は、ＵＥ２０２のユーザによってマニュアルでもたらされることができる。この例に従い、選択コンポーネント２１０は、１セットの選択において利用可能なＣＳＧセルのリストをディスプレイすることができ（例えば、グラフィカルユーザインタフェース(ＧＵＩ)を介して、・・・）、そして、ディスプレイされたリストに応じてマニュアル選択されたＣＳＧセルを識別する入力を受信することができる。また、特許請求された主題はそれほど限定されない。
【００４９】
選択コンポーネント２１０は、マニュアルまたは自動の選択（または再選択）のいずれかに基づいて基地局２０４にアクセスすることをＵＥ２０２にリクエストさせることができる。例えば、ＵＥ２０２は、選択コンポーネント２１０によって達成されるように、オペレータＣＳＧリスト２０８における対応ＣＳＧ ＩＤを備えた、ＣＳＧと関連づけられたＣＳＧセル（例えば、基地局２０４、・・・）にアクセスすることを選択すると、アタッチリクエストメッセージ、デタッチリクエストメッセージ、トラッキングエリア更新リクエストメッセージ(tracking area update request message)、ロケーションエリア更新リクエストメッセージ(location area updating request message,)、ルーティングエリア更新リクエストメッセージ(routing area update request message)、または同様なもの、を送信することができる。さらに、ＵＥ２０２は、アタッチリクエストメッセージ(attach request message)、デタッチリクエストメッセージ(detach request message)、トラッキングエリア更新リクエストメッセージ、ロケーションエリア更新リクエストメッセージ、ルーティングエリア更新リクエストメッセージ、またはそれによって送られる同様なもの、に応じて受諾メッセージまたは拒否メッセージを受信することができる。
【００５０】
ＵＥ２０２が基地局２０４にアクセスすることをリクエストするとき、ネットワークノード（単数または複数）２０６のうちの１つまたは複数は、ＵＥ２０２がこのような基地局２０４にアクセスすることが認可されるかどうかを評価することができる。ＵＥ２０２が基地局２０４にアクセスすることが認可されるかどうかを評価するネットワークノード（単数または複数）２０６のうちの１つまたは複数のうち少なくとも１つは、アクセス制御コンポーネント２１２を含むことができる。例として、ＣＳＧ加入データは、ＨＳＳ／ＨＬＲにおいて永久的に保存されることができ、アタッチプロシージャ(attach procedure)，サービスリクエストプロシージャ、または、トラッキング／ロケーション／ルーティングエリア更新プロシージャの間、アクセス制御のためにＭＭＥ、ＭＳＣ／ＶＬＲ、および／または、ＳＧＳＮによって検索されることができる。ＵＥ２０２がＣＳＧセル（例えば基地局２０４、・・・）にアクセスするとき、（例えば、ＭＭＥ、ＳＧＳＮ、ＭＳＣ、・・・のような）ネットワークノード（単数または複数）のうち第1のもののアクセス制御コンポーネント２１２は、ＣＳＧセルのＣＳＧ ＩＤがネットワークノード（単数または複数）２０６（例えば、ＨＳＳ／ＨＬＲ、・・・）のうち第２のものから検索された加入データにおけるＣＳＧ ＩＤに対応することと、失効時間が（存在する場合には）有効であり続けることと、をチェックすることができる。さらに、ＣＳＧ ＩＤが加入データにおいて存在しない、または、タイマが失効した場合には、（例えば、ＭＭＥ、ＳＧＳＮ、ＭＳＣ、・・・のような）ネットワークノード（単数または複数）２０６のうちの第１のもののアクセス制御コンポーネント２１２は、ＵＥ２０２がこのＣＳＧについて認可されないということを示すエラーコード（例えば、ｅｒｒｏｒ ｃｏｄｅ＃２５、・・・）でＵＥ２０２に対して拒否メッセージを送信することができる。したがって、基地局２０４がＣＳＧセルと関連づけられるということを想定すると、ネットワークノード（単数または複数）２０６のアクセス制御コンポーネント２１２は、ＣＳＧセル（例えば、基地局２０４、・・・）によって通知されるＣＳＧ ＩＤと、ネットワークにおいて保存されたＵＥ２０２のＣＳＧ加入データと、に基づいてアクセス制御を実行することができる。
【００５１】
ＵＥ２０２は、禁止されたＣＳＧ管理コンポーネント２１４と１セットの禁止されたＣＳＧ ＩＤ２１６をさらに含むことができる。ＵＥ２０２（例えば禁止されたＣＳＧ管理コンポーネント２１４、・・・）がＣＳＧセル（例えば、基地局２０４、・・・）と関連づけられたＣＳＧについての認可をＵＥ２０２が欠くということを示す拒否メッセージ（例えば、ｅｒｒｏｒ ｃｏｄｅ＃２５、・・・）を受信するとき、禁止されたＣＳＧ管理コンポーネント２１４は、ＣＳＧ ＩＤがオペレータＣＳＧリスト２０８に含まれるときに応じて、１セットの禁止されたＣＳＧ ＩＤ２１６において、ＵＥ２０２の禁止されたＣＳＧ ＩＤとしてそれに対応するＣＳＧ ＩＤを保存することができる。禁止されたＣＳＧ管理コンポーネント２１４は、ここにさらに詳述されるように、禁止されたＣＳＧ ＩＤを追加し、１セットの禁止されたＣＳＧ ＩＤ２１６から取り除くことができる。さらなる例として、禁止されたＣＳＧ管理コンポーネント２１４は、１セットの禁止されたＣＳＧ ＩＤ２１６において、禁止されたＣＳＧ ＩＤを備えた、ＣＳＧセルと関連づけられたそれぞれのＰＬＭＮアイデンティティを保存することができる。
【００５２】
１セットの禁止されたＣＳＧ ＩＤ２１６は、禁止されたＣＳＧ ＩＤ １，・・・，および禁止されたＣＳＧ ＩＤ Ｘ，を含むことができ、ここで、Ｘは、実質的にはいずれの整数値であることができる。これらのＣＳＧ ＩＤはビットストリングの形式またはいずれの他のフォーマットであることができるということは理解されるべきである。さらに、図示されていないが、１セットの禁止されたＣＳＧ ＩＤ２１６は与えられた時間における空セットであることができる（例えば、いずれの禁止されたＣＳＧ ＩＤが欠落している、・・・）、ということが予期される。１セットの禁止されたＣＳＧ ＩＤ２１６は特定時間における１つの禁止されたＣＳＧ ＩＤ（例、禁止されたＣＳＧ ＩＤ １、・・・）を含むことができるということもまた理解される。一例にしたがって、１セットの禁止されたＣＳＧ ＩＤ２１６は、ＵＥ２０２の禁止されたＣＳＧリストに保存されることができる。この例に続き、禁止されたＣＳＧリストは、ＵＥ２０２によって保持される読み出し書き込みリストであることができる。しかしながら、特許請求された主題の事柄は、前述された例に限定されないということが理解されるべきである。
【００５３】
禁止されたＣＳＧ管理コンポーネント２１４は、１セットの禁止されたＣＳＧ ＩＤ２１６において、禁止されたＣＳＧ ＩＤ（単数または複数）としてＣＳＧ ＩＤ（単数または複数）を一時的に保存することができ、ＣＳＧ ＩＤ（単数または複数）は、ネットワークにおいて保存されたＵＥ２０２のＣＳＧ加入データから削除されるが、オペレータＣＳＧリスト２０８からまだ削除されていない。したがって、１セットの禁止されたＣＳＧＩＤ２１６は、認可されていないがオペレータＣＳＧリスト２０８に含まれ続けるＣＳＧセル（例えば基地局２０４、・・・）にアクセスすることを回避するためにＵＥ２０２によりレバレッジされることができる。
【００５４】
１セットの禁止されたＣＳＧ ＩＤ２１６は、ＵＥ２０２がＣＳＧについての認可を欠くということを示す拒否メッセージをＵＥ２０２が受信するＣＳＧのＣＳＧ ＩＤを含むことができ、しかしながらそれらは、オペレータＣＳＧリスト２０８に含まれる。オペレータＣＳＧリスト２０８はＵＥ２０２に関する読み出し専用であるため、例えば禁止されたＣＳＧ ＩＤは、オペレータＣＳＧリスト２０８が更新されるまで（例えば、ＵＥ２０２が次のアプリケーションレベル更新を実行するまで、・・・）１セットの禁止されたＣＳＧ ＩＤ２１６で保存されることができる。例えば、１セットの禁止されたＣＳＧ ＩＤ２１６は、一時的に保持されることができ（例えば、ＵＥ２０２のＵＳＩＭにおいて、ＵＥ２０２のメモリにおいて、・・・）、さらに、ＵＥ２０２がオペレータＣＳＧリスト２０８のアプリケーションレベル更新を実行するとき、禁止されたＣＳＧ管理コンポーネント２１４によって、１セットの禁止されたＣＳＧ ＩＤ２１６は削除されることができる。また、特許請求される主題の事柄は前述の例に限定されないということが理解されるべきである、なぜならば、禁止されたＣＳＧ管理コンポーネント２１４は、ＵＥ２０２がオフに切り替えられるとき、ＵＥ２０２からＵＳＩＭを取り除くとき、周期的に（例えば、１２時間、２４時間、４８時間、実質的には任意の時間期間、・・・）、など、のときに、１セットの禁止されたＣＳＧ ＩＤ２１６を削除することができるということは予想されるからである。
【００５５】
ＵＥ２０２がＣＳＧから取り除かれる、または、ＣＳＧにおけるＵＥ２０２のメンバーシップ(membership)が、オペレータＣＳＧリスト２０８が更新される前に失効する(expire)場合には（例えば、ネットワークにおいて保存されたＵＥ２０２のＣＳＧ加入データにおいて維持されるとき、・・・）、禁止されたＣＳＧ管理コンポーネント２１４は、ネットワークによって送信された（例えば、アクセス制御コンポーネント２１２によってもたらされた、・・・）拒否メッセージを受信すると下記を達成することができる。ＣＳＧＩＤがオペレータＣＳＧリスト２０８に含まれる場合、ＵＥ２０２の禁止されたＣＳＧ管理コンポーネント２１４は、１セットの禁止されたＣＳＧ ＩＤ２１６（例、禁止されたＣＳＧリスト、・・・）に対してＣＳＧ ＩＤを追加することができる。さらに、禁止されたＣＳＧ管理コンポーネント２１４は、例えばＯＴＡまたはＯＭＡＤＭプロシージャを使用してオペレータＣＳＧリスト２０８の次の成功裏の更新をＵＥ２０２が実行した後で１セットの禁止されたＣＳＧ ＩＤ２１６を削除することができる。追加的に、または、代替的に、禁止されたＣＳＧ管理コンポーネント２１４は、ＵＥ２０２がオフに切り替えられるとき、ＵＥ２０２のＵＳＩＭを取り除くとき、周期的に、または同様なときに、１セットの禁止されたＣＳＧ ＩＤ２１６を削除することができる。さらに、１セットの禁止されたＣＳＧ ＩＤ２１６において保存されたＣＳＧ ＩＤに属しているＣＳＧセルは、ＵＥ２０２によるアクセスに不適切であるとみなされる可能性がある。したがって、１セットの禁止されたＣＳＧ ＩＤ２１６は、ＵＥ２０２のオペレータＣＳＧリスト２０８がネットワークに保存されたＵＥ２０２のＣＳＧ加入データと同期していないシナリオをサポートすることができる。
【００５６】
図３を参照すると、無線通信環境におけるアクセスに利用可能なＣＳＧセルを識別するシステム３００が図示されている。システム３００は、ＵＥ２０２、基地局２０４、そしてネットワークノード（単数または複数）２０６を含む。ＵＥ２０２は、読み出し専用でオペレータによって制御されることができるオペレータＣＳＧリスト２０８と、１セットの禁止されたＣＳＧ ＩＤ２１６と、を含むことができる。さらに、ＵＥ２０２は、選択コンポーネント２１０と禁止されたＣＳＧ管理コンポーネント２１４を含むことができる。
【００５７】
ＵＥ２０２は、ＵＥ２０２によって更新可能であることができる、許可されたＣＳＧリスト３０２をさらに含むことができる。例えば、ＵＥ２０２がマニュアルセル選択または他の何らかの同様なプロシージャを実行するとき、ＵＥ２０２は、オペレータＣＳＧリスト２０８において現在存在していないＣＳＧ ＩＤと関連づけられたセルに対してアクセスをＵＥ２０２は許諾された場合には許可されたＣＳＧリスト３０２を更新することができる。ＵＥ２０２は、許可されたＣＳＧリスト３０２についての許諾を読み出し書き込むことができる。さらに、許可されたＣＳＧリスト３０２は、ＵＥ２０２のＵＳＩＭ上で保存されることができ、ＵＥ２０２のメモリにおいて保持されることができ、及び同様なことが可能である。
【００５８】
一例に従い、エントリ（例、ＣＳＧ ＩＤ、・・・）がネットワークにおいて保存されたＵＥ２０２のＣＳＧ加入データに追加されるがＵＥ２０２のオペレータＣＳＧリスト２０８に対してまだ追加されない場合には、エントリは、オペレータＣＳＧリスト２０８が更新される前にＵＥ２０２がＣＳＧにアクセスした場合、許可されたＣＳＧリスト３０２に対して追加されることができる。さらに、オペレータＣＳＧリスト２０８が更新された後で（例えば、アプリケーションレベル更新を介して、・・・）許可されたＣＳＧリスト３０２で保存されたＣＳＧ ＩＤがオペレータＣＳＧリスト２０８において生じる場合には、ＵＥ２０２は、許可されたＣＳＧリスト３０２において対応ＣＳＧ ＩＤを取り除くことができる。しかし、特許請求された主題は、前述に限定されない、ということは理解されるべきである。
【００５９】
別の例として、エントリ（例えばＣＳＧ ＩＤ、・・・）がネットワークにおいて保存されたＵＥ２０２のＣＳＧ加入データから取り除かれる場合には、禁止されたＣＳＧ管理コンポーネント２１４は、ＵＥ２０２がＣＳＧについての認可を欠くということを示す拒否メッセージを受信すると次のプロシージャを達成することができる。ＣＳＧ ＩＤが許可されたＣＳＧリスト３０２に含まれる場合には、許可されたＣＳＧリスト３０２から、禁止されたＣＳＧ管理コンポーネント２１４によってエントリは削除されることができる。さらに、ＵＥ２０２は、ＣＳＧ ＩＤと関連づけられたＣＳＧセルにアクセスすることを回避することができる。
【００６０】
さらに、ＵＥ２０２は、ＵＥ２０２によるアクセスに適切または不適切であるＣＳＧセルを識別することができるフィルタコンポーネント３０４を含むことができる。例えば、フィルタコンポーネント３０４は、ＣＳＧ ＩＤに属しているＣＳＧセルはオペレータＣＳＧリスト２０８または許可されたＣＳＧリスト３０２に含まれない、または、ＵＥ２０２によるアクセスに不適切であるものとして１セットの禁止されたＣＳＧ ＩＤ２１６に含まれる（例えば、禁止されたＣＳＧリスト、・・・に含まれる）。したがって、選択コンポーネント２１０は、フィルタコンポーネント３０４によるアクセスに不適切であるとみなされたＣＳＧセルを自動的に選択すること（または再選択すること）を阻止することができる。ＣＳＧセルのマニュアル選択について、選択コンポーネント２１０は、フィルタコンポーネント３０４によって決定されるようなＵＥ２０２によるアクセスが不適切であるＣＳＧセルを選択することができる、ということが理解されるべきである。
【００６１】
例えば、フィルタコンポーネント３０４は、ＵＥ２０２によるアクセスに不適切であるとして、１セットの禁止されたＣＳＧ ＩＤ２１６において、禁止されたＣＳＧ ＩＤとして保存された対応ＣＳＧ ＩＤを備えた、ＣＳＧと関連づけられたＣＳＧセル（例えば基地局２０４、・・・）を考慮することができる。さらに、フィルタコンポーネント３０４は、ＵＥ２０２によるアクセスに不適切であるとして、オペレータＣＳＧリスト２０８から省略され、許可されたＣＳＧリスト３０２から省略された、ＣＳＧ ＩＤを備えたＣＳＧセルを考慮することができる。しかしながら、特許請求された主題はそれほど限定されない、ということは理解されるべきである。
【００６２】
別の例にしたがい、フィルタコンポーネント３０４は、残りのサブセットのＣＳＧ ＩＤをもたらすためにオペレータＣＳＧリスト２０８に含まれる１セットのＣＳＧ ＩＤからの１セットの禁止されたＣＳＧ ＩＤ２１６から、ＣＳＧ ＩＤを取り除くことができる。この例にしたがい、残りのサブセットのＣＳＧ ＩＤに含まれる対応ＣＳＧ ＩＤを備えた、ＣＳＧと関連づけられたＣＳＧセルは、ＵＥ２０２によるアクセスに適切であるとみなされることができる。フィルタコンポーネント３０４は、許可されたＣＳＧリスト３０２がＵＥ２０２によって利用されるかどうかに関らず（例えば、ＵＥ２０２は許可されたＣＳＧリスト３０２、・・・を含むことができるが含む必要はない）、オペレータＣＳＧリスト２０８に含まれる１セットのＣＳＧ ＩＤから、１セットの禁止されたＣＳＧ ＩＤ２１６に含まれるＣＳＧ ＩＤを取り除くことができる。しかしながら、特許請求された主題はそれほど限定されない、ということは理解されるべきである。
【００６３】
図４を参照すると、無線通信環境においてＣＳＧ選択を実行するシステム４００が図示されている。システム４００はＵＥ２０２を含み、そしてそれは、オペレータＣＳＧリスト２０８、選択コンポーネント２１０、禁止されたＣＳＧ管理コンポーネント２１４、１セットの禁止されたＣＳＧ ＩＤ２１６、そしてフィルタコンポーネント３０４をさらに含むことができる。さらに、ＵＥ２０２は、利用可能なＣＳＧ ＩＤと、関連づけられたＰＬＭＮアイデンティティと、をレンダリングすることができるディスプレイコンポーネント４０２を含むことができる。例えば、ディスプレイコンポーネント４０２は、ＧＵＩを介して利用可能なＣＳＧ ＩＤと関連づけられたＰＬＭＮアイデンティティをレンダリングすることができる。
【００６４】
オペレータＣＳＧリスト２０８は、許可されたＣＳＧ ＩＤのリストと、関連づけられたＰＬＭＮアイデンティティと、を含むことができる。さらに、図示はされていないが、ＵＥ２０２は、許可されたＣＳＧリスト（例えば、図３の許可されたＣＳＧリスト３０２、・・・）を含むことができるということが予期され、そしてそれはまた、許可されたＣＳＧ ＩＤのリストと関連づけられたＰＬＭＮアイデンティティとを含むことができる。しかしながら、特許請求された主題の事柄は、許可されたＣＳＧリストを含んでいるＵＥ２０２に限定されない。
【００６５】
選択コンポーネント２１０は自動的なＣＳＧ選択あるいはマニュアルＣＳＧ選択をサポートすることができる。例えば、自動的なＣＳＧ選択について、ＰＬＭＮは、選択コンポーネント２１０によって選択されることができる。さらに、選択コンポーネント２１０は、自動ＣＳＧ選択について、セルがＣＳＧセルでない場合、または、オペレータＣＳＧリスト２０８に含まれる（または、使用される場合にはＵＥ２０２の許可されたＣＳＧリストに含まれる)ＣＳＧ ＩＤを備えたＣＳＧセルである場合、選択されたＰＬＭＮにおいてセルをＵＥ２０２にキャンプオン(camp on)させることができる。
【００６６】
別の例として、マニュアルＣＳＧ選択について、ディスプレイコンポーネント４０２は、利用可能なＣＳＧ ＩＤのリストと、関連づけられたＰＬＭＮアイデンティティと、を示すことができる。さらに、選択コンポーネント２１０は、利用可能なＣＳＧ ＩＤのリストと関連づけられたＰＬＭＮアイデンティティから選択を指定して入力を得ることができる。さらに、選択コンポーネント２１０は、選択されたＣＳＧ ＩＤを備えたセルをキャンプオンすることと、入力に基づいて関連づけられたＰＬＭＮアイデンティティに対応するＰＬＭＮで登録することを試みることと、を達成することができる。
【００６７】
ＵＥ２０２がＣＳＧについての認可を欠くということを示す拒否メッセージがＵＥ２０２により受信される場合には、次のことがインプリメントされることができる。例に準じて、拒否メッセージがオペレータＣＳＧリスト２０８において存在する対応ＣＳＧ ＩＤを備えたＣＳＧについての認可をＵＥ２０２が欠くということを示す場合には、フィルタコンポーネント３０４は（例えば、非アクセスストラタム（ＮＡＳ）、・・・により）アクセスストラタム（ＡＳ）に対して提供される、許可されたＣＳＧ ＩＤのリストと関連づけられたＰＬＭＮアイデンティティとに含まれることからＣＳＧ ＩＤと関連づけられたＰＬＭＮアイデンティティとを阻止することができる。別の例として、マニュアルＣＳＧ選択を利用するとき（例えば、選択コンポーネント２１０、・・・を介して）、フィルタコンポーネント３０４は、ＵＥ２０２によって保存されたオペレータＣＳＧリスト２０８にあるものとしてＣＳＧ ＩＤと、関連づけられたＰＬＭＮアイデンティティと、をディスプレイコンポーネント４０２がディスプレイすることを阻止することができる。この例に従い、（例えば、禁止されたＣＳＧ管理コンポーネント２１４、・・・によって制御されるような）１セットの禁止されたＣＳＧ ＩＤ２１６に保存されたＣＳＧ ＩＤは、オペレータＣＳＧリスト２０８に含まれるように（例えばディスプレイコンポーネント４０２、・・・によって）ディスプレイされることを（例えばフィルタコンポーネント３０４、・・・により）阻止されることができる。したがって、ＣＳＧ ＩＤが１セットの禁止されたＣＳＧ ＩＤ２１６において、禁止されたＣＳＧ ＩＤとして保存されたとき、ＵＥ２０２がメンバであるＣＳＧと関連づけられているものとして（例えばディスプレイコンポーネント４０２、・・・によって）ＣＳＧ ＩＤをディスプレイすることはフィルタコンポーネント３０４によって阻止されることができる。さらに別の例に従い、許可されたＣＳＧリストがＵＥ２０２によって使用される場合には、ＮＡＳは、存在する場合には許可されたＣＳＧリストからＣＳＧ ＩＤを取り除くことができる、しかし、特許請求される主題の事柄はそれほど限定されないということは理解されるべきである。
【００６８】
マニュアルＣＳＧ選択について、フィルタコンポーネント３０４は、ディスプレイコンポーネント４０２を介してオペレータＣＳＧリスト２０８に存在するものとするディスプレイのために１サブセットのＣＳＧ ＩＤをもたらすために、オペレータＣＳＧリスト２０８に含まれる１セットのＣＳＧ ＩＤから、１セットの禁止されたＣＳＧ ＩＤ２１６におけるＣＳＧ ＩＤ（単数または複数）を取り除くことができる。このような１セットの禁止されたＣＳＧ ＩＤ２１６におけるＣＳＧ ＩＤ（単数または複数）を取り除くことはユーザの混乱を緩和するために達成されることができ、したがって、ユーザ経験を高める。対照的に、ＵＥ２０２がオペレータＣＳＧリスト２０８においてＣＳＧ ＩＤに対応するＣＳＧセルで拒否された後で（例えば、ＵＥ２０２がＣＳＧについての認可を欠くということを示す拒否メッセージを受信した後で、・・・）、ＵＥ２０２がＣＳＧのメンバであることをディスプレイコンポーネント４０２が示す場合には、ユーザはマニュアル選択が実行される場合に混乱する可能性があり、ディスプレイコンポーネント４０２は、ＵＥ２０２がＣＳＧ ＩＤに対応するＣＳＧのメンバであるということを示し続ける。
【００６９】
さらに、禁止されたＣＳＧ管理コンポーネント２１４は、１セットの禁止されたＣＳＧＩＤ２１６から、ＣＳＧ ＩＤ（単数または複数）を取り除くことができる。一例にしたがって、禁止されたＣＳＧ管理コンポーネント２１４は、１セットの禁止されたＣＳＧＩＤ２１６を消去することができる。この例に従い、１セットの禁止されたＣＳＧ ＩＤ２１６を消去することは、ＵＥ２０２をオフに切り替えるとき、ＵＥ２０２からＵＳＩＭを取り除くとき、周期的に、オペレータＣＳＧリスト２０８が更新されるとき、などのときに、禁止されたＣＳＧ管理コンポーネント２１４によって達成されることができる。
【００７０】
別の例として、禁止されたＣＳＧ管理コンポーネント２１４は、１セットの禁止されたＣＳＧ ＩＤ２１６から、ＣＳＧ ＩＤを取り除くことができる。禁止されたＣＳＧコンポーネント２１４は、禁止されたＣＳＧ ＩＤを備えたＣＳＧセルがマニュアルで選択される場合に１セットの禁止されたＣＳＧ ＩＤ２１６からＣＳＧ ＩＤを取り除くことができ（例えば、選択コンポーネント２１０を利用する、・・・）、ＵＥ２０２はＣＳＧセルにアクセスし、そして、ＵＥ２０２はそれに応じて受諾メッセージを受信する。したがって、ＵＥ２０２はＣＳＧセルにおいて受諾される。
【００７１】
例えば、ＵＥ２０２は、選択コンポーネント２１０によって達成されるマニュアルＣＳＧ選択に基づいて１セットの禁止されたＣＳＧ ＩＤ２１６において禁止されたＣＳＧ ＩＤとして保存されたＣＳＧ ＩＤに対応するＣＳＧセルに対してアタッチリクエストメッセージを送信することができる。ＵＥ２０２は、アタッチリクエストメッセージに応じてＣＳＧセルからアタッチ受諾メッセージを受信することができる。したがって、禁止されたＣＳＧ管理コンポーネント２１４は、アタッチ受諾メッセージを受信することに応じて、１セットの禁止されたＣＳＧ ＩＤからＣＳＧ ＩＤを取り除くことができる。別の説明に従い、ＵＥ２０２は、選択コンポーネント２１０によって達成されるマニュアルＣＳＧ選択に基づいて１セットの禁止されたＣＳＧ ＩＤ２１６において禁止されたＣＳＧ ＩＤとして保存されたＣＳＧ ＩＤに対応するＣＳＧセルに対してリクエストメッセージを送信することができ、リクエストメッセージは、トラッキングエリア更新リクエストメッセージ、ロケーションエリア更新リクエストメッセージ、ルーティングエリア更新リクエストメッセージ、また同様なものであることができる。さらに、ＵＥ２０２は、リクエストメッセージに応じてＣＳＧセルから受諾メッセージを受信することができ、受諾メッセージは、トラッキングエリア更新受諾メッセージ、ロケーションエリア更新受諾メッセージ、ルーティングエリア更新受諾メッセージなどであることができる。さらに、禁止されたＣＳＧ管理コンポーネント２１４は、受諾メッセージを受信することに応じて、１セットの禁止されたＣＳＧ ＩＤ２１６から、ＣＳＧ ＩＤを取り除くことができる。さらに別の例として、ＣＳＧ ＩＤは、ＣＳＧ ＩＤがオペレータＣＳＧリスト２０８から取り除かれるときに、１セットの禁止されたＣＳＧ ＩＤ２１６から取り除かれることができる。しかし、特許請求された主題は、前述の例に限定されない、ということは理解されるべきである。
【００７２】
図５を参照すると、無線通信環境におけるＵＥ（例えばＵＥ２０２、・・・）のオペレータＣＳＧリスト（例えばオペレータＣＳＧリスト２０８、・・・）をプロビジョンするシステム５００を図示する。システム５００は、ＵＥ２０２とＣＳＧリストサーバ５０２を含む。ＵＥ２０２は、オペレータＣＳＧリスト２０８、選択コンポーネント２１０、禁止されたＣＳＧ管理コンポーネント２１４、１セットの禁止されたＣＳＧ ＩＤ２１６、および／または、リスト管理コンポーネント５０４をさらに含むことができる。
【００７３】
ＣＳＧリストサーバ５０２は、ＯＭＡ ＤＭプロシージャまたはＯＴＡプロシージャを使用してＵＥ２０２のオペレータＣＳＧリスト２０８をプロビジョンするように利用されることができる。さらに、ＣＳＧリストサーバ５０２は、ＵＥ２０２のオペレータＣＳＧリスト２０８を更新することができる。したがって、ＣＳＧ ＩＤがネットワークにおいて保存されたＵＥ２０２のＣＳＧ加入データから取り除かれるまたは追加される場合には、ＣＳＧリストサーバ５０２は、ＵＥ２０２のオペレータＣＳＧリスト２０８からＣＳＧＩＤを取り除くまたは追加することができる。
【００７４】
しかしながら、ＣＳＧに対応するＣＳＧ ＩＤを削除するためにオペレータＣＳＧリスト２０８をＣＳＧリストサーバ５０２が更新する前にＣＳＧからＵＥ２０２が取り除かれる可能性がある、ということは理解されるべきである。別の説明によると、ＣＳＧへのＵＥ２０２のメンバーシップは、ＣＳＧに対応するＣＳＧ ＩＤを削除するためにＣＳＧリストサーバ５０２がオペレータＣＳＧリストを更新する前に失効する可能性がある。前述は、オペレータＣＳＧリスト２０８に含まれる対応ＣＳＧ ＩＤを備えたＣＳＧと関連づけられたＣＳＧセルにアクセスすることを選択することに応じて、ＵＥ２０２がＣＳＧについての認可を欠くということを示す拒否メッセージをＵＥ２０２が受信することを結果としてもたらす可能性がある。したがって、禁止されたＣＳＧ管理コンポーネント２１４は、拒否メッセージを受信することに応じて、１セットの禁止されたＣＳＧ ＩＤ２１６において禁止されたＣＳＧ ＩＤとしてＣＳＧ ＩＤを保存することができる。
【００７５】
例として、リスト管理コンポーネント５０４は、少なくとも１つの禁止されたＣＳＧＩＤがＵＥ２０２によって（例えば、１セットの禁止されたＣＳＧ ＩＤ２１６において、・・・）保存されるとき、オペレータＣＳＧリスト２０８を更新することを開始することできる。例えば、リスト管理コンポーネント５０４は、そのような状態の下、オペレータＣＳＧリスト２０８をＣＳＧリストサーバ５０２に更新させることができる。一例によると、オペレータＣＳＧリスト２０８を更新することを開始することは、少なくとも１つの禁止されたＣＳＧ ＩＤがＵＥ２０２によって（例えば、１セットの禁止されたＣＳＧＩＤ２１６において、・・・）保存されるときの次のアクセス時に、リスト管理コンポーネント５０４によって達成されることができる。別の例として、リスト管理コンポーネント５０４は、ＵＥ２０２によって少なくとも１つの禁止されたＣＳＧ ＩＤが（例えば１セットの禁止されたＣＳＧ ＩＤ２１６において、・・・）保存される、予め決定された長さの時間の後でオペレータＣＳＧリスト２０８を更新することを開始することができる。
【００７６】
図６は、ネットワーク環境内のアクセスポイント基地局（例えば、フェムトセル基地局）の配置をイネーブルにする例示的な通信システム６００を図示する。図６で示されるように、システム６００は、複数のフェムトセル基地局を含み、そしてそれらは、アクセスポイントの基地局、ホーム発展型ノードＢユニット（ＨｅＮＢ）、ホームノードＢユニット（ＨＮＢ）、フェムトセル、または同様なものとも呼ばれることができる。フェムトセル基地局（ＨｅＮＢ６１０）は、例えば、それぞれ、例えば１つまたは複数のユーザ家庭６３０においてのような対応する小規模ネットワーク環境においてインストールされることができ、それぞれ、エーリアンに加え、関連のＵＥ（単数または複数）６２０にサービス提供するように構成されることができる。各ＨｅＮＢ６１０は、インターネット６４０、ＤＳＬルータ（図示されず）を介したモバイルオペレータコアネットワーク６５０、または、代替的には、ケーブルモデム（図示されず）にさらに結合されることができる。
【００７７】
ここで説明される実施形態は３ＧＰＰ用語を使用するにも関らず、実施形態は３ＧＰＰ（Ｒｅｌ９９，Ｒｅｌ５，Ｒｅｌ６，Ｒｅｌ７）技術と３ＧＰＰ２（１ｘＲＴＴ，１ｘＥＶ−ＤＯ Ｒｅｌ０，ＲｅｖＡ，ＲｅｖＢ）技術と他の既知の関連技術に適用されうる、ということは理解されるべきである。ここに説明されるこのような実施形態では、ＨｅＮＢ６１０の所有者は、モバイルオペレータコアネットワーク６５０を通じて提供される３Ｇモバイルサービスのようなモバイルサービスに加入することができ、ＵＥ６２０は、マクロセル基地局６６０を介したマクロセル環境において、また、家庭小規模ネットワーク環境において、双方で動作することができる。したがって、ＨｅＮＢ６１０は、いずれの既存のＵＥ６２０と後方互換性であることができる。ＨｅＮＢ６１０は、ＣＳＧＨｅＮＢ（単数または複数）、ハイブリッドＨｅＮＢ（単数または複数）、および／または、オープンＨｅＮＢ（単数または複数）を含むことができるということは予期される。
【００７８】
図７を参照すると、無線通信環境におけるクローズド加入者グループ（ＣＳＧ）を提供する例示的なシステム７００が図示される。システム７００は、ＨｅＮＢ７０２（例えば、図６のＨｅＮＢ６１０、図２の基地局２０４、・・・）と共に使用されることができる例示的なアーキテクチャモデルを図示する。しかしながら、異なるアーキテクチャモデルが特許請求の範囲の範囲に入るように意図されるということは予期される。例えば、図示されてはいないが、ＨＮＢを備えたＣＳＧ、マクロセル基地局、またはいずれの他のタイプの基地局を使用することをサポートする異なるアーキテクチャは特許請求される主題の範囲内にあるように意図される、ということが予期される。
【００７９】
図によると、ＨｅＮＢ７０２は、ユーザの前提で配置されることができる、しかしながら、特許請求された主題はそれほど限定されない。ＨｅＮＢ７０２は、オペレーションおよびメンテナンス（ＯＡＭ）を通じてＨｅＮＢ認証、ＨｅＮＢ登録、およびＨｅＮＢ設定をサポートする関数に加え、Ｅ−ＵＴＲＡＮ ｅＮＢ関数を提供することができる。
【００８０】
ＨｅＮＢ７０２は、システム７００のコアネットワーク（例、発展型パケットコア（ＥＰＣ）、・・・）の様々なノード（例、図２のネットワークノード２０６（単数または複数）、・・・）と直接的にまたは間接的に通信することができる。例えば、コアネットワークのノードは、ＰＧＷ７０４、ＳＧＷ７０６、ＭＭＥ７０８、およびＨＳＳ７１０を含むことができる。図示されていないが、システム７００は１以上のＰＧＷ７０４、ＳＧＷ７０６、ＭＭＥ７０８、および／またはＨＳＳ７１０を含むことができる、ということが予期される。
【００８１】
ＰＧＷ７０４は、例えば、インターネット７１２および／またはＩＰマルチメディアサブシステム（ＩＭＳ）７１４のような外部のパケットデータネットワーク（ＰＤＮ）（単数または複数）とインタフェース接続することができる。さらに、図示されていないけれども、ＰＧＷ７０４は、追加的に、または、代替的に、インターネットまたはいずれの異なるＰＤＮ（単数または複数）とインタフェース接続することができる。例えば、ＰＧＷ７０４は、アドレス割り付け、ポリシエンフォースメント、パケット分類およびルーティング、などを扱うことができる。
【００８２】
ＳＧＷ７０６は、ユーザプレーンと関連づけられ、モビリティのアンカーポイントである。ＳＧＷ７０６は、（例えば、ＵＥ７１６を利用している、・・・）ユーザのサービング基地局（例えば、ＨｅＮＢ７０２、異種のＨｅＮＢ、異なるｅＮＢ、・・・）を指し示す。したがって、異なる複数の基地局へハンドオフすると、ＳＧＷ７０６は、異なる基地局に対し再度指し示すことができる。さらに、ＳＧＷ７０６は、任意の時間にＵＥ７１６にサービス提供している適切な基地局（例えばＨｅＮＢ７０２、・・・）に対してデータがルーティングされることを可能にすることができる。
【００８３】
ＭＭＥ７０８は、制御プレーンと関連づけられる。ＭＭＥ７０８は、モビリティ、サービスの質（ＱｏＳ）初期化、ユーザ認証、および同様なものについて、制御プレーンシグナリングをサポートすることができる。さらに、ＨＳＳ７１０は、例えば、電話番号、プロフィール、および同様なもののような様々な加入情報を保存することができる。
【００８４】
システム７００は、ノード間で様々なインタフェースを含む。例えば、Ｓ６ａインタフェースは、ＭＭＥ７０８とＨＳＳ７１０に接続することができ、Ｓ５／Ｓ８インタフェースは、ＳＧＷ７０６とＰＧＷ７０４に接続することができる。さらに、Ｓ１−Ｕインタフェースは、ＨｅＮＢ７０２とＳＧＷ７０６に接続することができ、Ｓ１１インタフェースは、ＳＧＷ７０６とＭＭＥ７０８に結合することができ、Ｓ１−ＭＭＥインタフェースは、ＨｅＮＢ７０２とＭＭＥ７０８に接続することができる。さらに、ＰＧＷ７０４は、それぞれのＳＧｉインタフェースを介してＰＤＮ（単数または複数）（例えば、インターネット７１２、ＩＭＳ７１４、・・・）に接続することができ、ＨｅＮＢ７０２とＵＥ７１６は、Ｅ−ＵＴＲＡ−Ｕｕインタフェースを介して結合されることができる。さらに、ＭＭＥ７０８は、別のＭＭＥ（図示されず）に対しＳ１０インタフェースと関連づけられることができる。
【００８５】
ＨＳＳ７１０はまた、ＣＳＧプロビジョニングネットワークエレメント、すなわちＣＳＧアドミニストレーションサーバ７１８とＣＳＧリストサーバ７２０（例えば、図５のＣＳＧリストサーバ５０２、・・・）に直接的にまたは間接的に接続することができる。ＣＳＧアドミニストレーションサーバ７１８は、ＣＳＧアドミニストレーション関数をサポートすることができ、そしてそれは、ＣＳＧについてのの加入者のリスト（例えば、ＣＳＧについてのアクセス制御リスト、・・・）を管理するために使用されることができる。例えば、ＨｅＮＢ７０２の所有者は、ＨｅＮＢ７０２と関連づけられたＣＳＧに含まれていることからユーザを追加または取り除くために、インタフェース（例、ＧＵＩ、ウェブサイト、・・・）を介してＣＳＧアドミニストレーションサーバ７１８とインタフェース接続することができる。このような変更に基づいて、ＣＳＧアドミニストレーションサーバ７１８は、修正に応じて、ユーザについての加入者情報を調整するためにＨＳＳ７１０を更新することができる。
【００８６】
さらに、ＣＳＧリストサーバ７２０は、ＵＥ７１６（および／またはいずれの異なるＵＥ（単数または複数）（図示されず））のためのホワイトリスト（ＷＬ）（例えば、図２のオペレータＣＳＧリスト２０８、図３の許可されたＣＳＧリスト３０２、・・・）を管理するように使用されるＵＥ ＣＳＧプロビジョニング機能を提供する。ＣＳＧリスト７２０は、ＵＥ７１６に、それが特定グループ（例えば、特定ＣＳＧ、・・・）のメンバであるということを通知することができる。さらに、ＣＳＧアドミニストレーションサーバ７１８によって加入が更新されるとき、ＨＳＳ７１０は、更新に対応する加入情報を保存することができる。さらに、ＨＳＳ７１０において加入情報を更新することは、ＣＳＧリストサーバ７２０にトランスファされるべきメッセージをトリガすることができ、そしてそれは、ＯＭＡ−ＤＭプロセスまたはＯＴＡプロセスをＣＳＧリストサーバ７２０に利用させ、ＵＥ７１６に対して修正された加入情報をダウンリンク送信する。したがって、ＣＳＧリストサーバ７２０は、ＨＳＳ７１０とＵＥ７１６によって保持された（例えば、ＵＥ７１６のメモリに保存された、ＵＥ７１６と関連づけられたＵＳＩＭまたは加入者アイデンティティモジュール（ＳＩＭ）上で保持された、・・・）加入情報を調整することをイネーブルすることができる。
【００８７】
ＵＥ７１６とコアネットワークエレメントとの間の様々なロジカルネットワークプロトコル関数は、ＣＳＧをサポートするためにシステム７００において達成されることができる。例えば、ロジカルネットワークプロトコル関数は、ＵＥ ＣＳＧプロビジョニング関数、アクセス制御関数、モビリティ管理関数、およびＣＳＧアドミニストレーション関数を含むことができる。
【００８８】
ＵＥ ＣＳＧプロビジョニング関数は、ＵＥ７１６のためのホワイトリストを管理することができる。ホワイトリストは、ＣＳＧ ＩＤのリストであり、ＵＥ７１６は、ホワイトリストに含まれるＣＳＧ ＩＤを有するＣＳＧセルにアクセスすることができる。ホワイトリストは、アクセス制御を実行するためにネットワークにおいて保存されることができ、また、アクセスされるべきセルを選択することをイネーブルするためにＵＥ７１６によって保存されることができる。ネットワークにおけるホワイトリストは、ＨＳＳ７１０において永久的に保存されることができ、そして、アタッチ、デタッチ、サービスリクエスト、およびトラッキングエリア更新プロシージャの間にアクセス制御のためにＭＭＥ７０８によって検索されることができる。ＵＥ７１６におけるホワイトリストは、このようなＵＥ７１６のためのＵＳＩＭまたはＵＥ７１６のメモリ上で保存されることができる。
【００８９】
アクセス制御関数は、ＵＥが、アクセスを実行するＣＳＧにおいて有効な加入を有するということを確実にすることができる。ＭＭＥ７０８（例えば、図２のアクセス制御コンポーネント２１２、・・・）は、アタッチ、デタッチ、サービスリクエスト、およびトラッキングエリア更新プロシージャの間にＣＳＧセルを通じてネットワークにアクセスしてＵＥ７１６についてのアクセス制御を実行することができる。さらに、ＭＭＥ７０８は、アタッチ、サービスリクエスト、および／またはトラッキングエリア更新プロシージャについてＣＳＧでＵＥ７１６は許可されないということを認識するときの非アクセスストラタム（ＮＡＳ）シグナリング応答における拒否要因の値を含むことができる。
【００９０】
さらに、モビリティ管理関数は、ＵＥ７１６の現在の位置を追跡し続けるために使用されることができる。アイドル状態のＵＥ７１６のロケーションは、トラッキングエリアリスト粒度(Tracking Area granularity)上でネットワークによって知られることができる。したがって、アイドル状態にあるとき、ＵＥ７１６は、最後のトラッキングエリア更新で受信されたトラッキングエリアリストのすべてのセルにおいてページングされることができる。
【００９１】
さらにＣＳＧアドミニストレーション関数は、ＣＳＧについての加入者のリストを管理することができる。ＣＳＧアドミニストレーション関数は、オペレータまたは第３者によってホストされることができる。例えば、シングルリストは、ＣＳＧについてのＨｅＮＢを制御することができる。さらに、同じＣＳＧ ＩＤを通知するＨｅＮＢは、加入者のシングルリストを有することができる。
【００９２】
上述されるように、ＨＳＳ７１０は、ＣＳＧ加入情報を永久的に保持することができる。さらに、ＣＳＧ加入情報は、ＵＥ７１６の加入プロフィールの一部としてアタッチプロシージャまたはトラッキングエリア更新プロシージャの間にＭＭＥ７０８によって検索されることができる。ＭＭＥ７０８は、アクセス制御を実行するために、その検索されたＣＳＧ加入情報を利用することができる。例えば、ＭＭＥ７０８は、アクセス制御がＮＡＳレベルプロシージャであるのでアクセス制御を実行することができ、また、ＭＭＥ７０８は、コアネットワークにおけるＮＡＳエンドポイントである。さらに、ＭＭＥ７０８は、ＵＥ７１６のためのホワイトリストのコピーを得て、保存することができる（例えば、ホワイトリストは、ユーザの加入情報の一部として保持されることができる、・・・）。さらに、ＭＭＥ７０８は、アクセス制御を達成するためにＵＥ７１６がアクセスを実行しているＣＳＧセルのＣＳＧ ＩＤを知ることができる。
【００９３】
ＮＡＳで実行されるものとしてここにおいて説明されているけれども、ＣＳＧについてのアクセス制御はアクセスストラタム(ＡＳ)においてインプリメントされることができるということが予期されている。ＡＳにおけるアクセス制御は、ＨｅＮＢ７０２における無線ネットワークコントローラ（ＲＮＣ）関数において（または、ＨｅＮＢゲートウェイ（図示されず）における関連関数において）インプリメントされることができる。しかしながら、特許請求された主題はそれほど限定されない、ということは理解されるべきである。
【００９４】
図８−１０を参照すると、無線通信環境におけるＣＳＧへのアクセス制御を管理することに関する方法が図示されている。説明を簡略化するために、方法は、一連の動作として示されそして説明されているが、方法は動作の順序によって制限されていないということが認識され、理解されるべきであり、いくつかの動作は、１つまたは複数の実施形態にしたがって、ここにおいて示され記載されたものから他の動作と、異なる順序で及び／または同時に生じることができる。例えば、当業者は、方法は、状態図におけるような、一連の相互関連づけられた状態あるいはイベントとして代替的に表されることができるであろうということを理解し、認識するであろう。さらに、図示されているすべての動作は必ずしも、１以上の実施形態にしたがって、方法をインプリメントすることを要さなくてもよい。
【００９５】
図８に戻ると、無線通信環境における同期の欠如から回復することを容易にする方法８００が図示されている。８０２で、ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択するが達成されることができる。さらに、オペレータＣＳＧリストは、読み出し専用であり、オペレータによって制御されることができる。例えば、アタッチリクエストメッセージ、デタッチリクエストメッセージ、トラッキングエリア更新リクエストメッセージ，ロケーションエリア更新リクエストメッセージ、ルーティングエリア更新リクエストメッセージ、または同様なものは、オペレータＣＳＧリストに含まれる対応ＣＳＧ ＩＤを備えた、ＣＳＧと関連づけられたＣＳＧセルにアクセスすることを選択すると、送信されることができる。８０４で、ＵＥがＣＳＧについての認可を欠くということを示す拒否メッセージが受信されることができる。８０６で、ＣＳＧ ＩＤがオペレータＣＳＧリストに含まれるとき、拒否メッセージを受信することに応じて１セットの禁止されたＣＳＧ ＩＤにおいてＵＥの禁止されたＣＳＧ ＩＤとして、ＣＳＧ ＩＤは保存されることができる。さらに、禁止されたＣＳＧ ＩＤは、ＵＥの禁止されたＣＳＧリストに保存されることができる。さらに、ＣＳＧセルと関連づけられたパブリックランドモバイルネットワーク（ＰＬＭＮ）アイデンティティは、禁止されたＣＳＧ ＩＤとして保存されることができる。
【００９６】
一例によると、ＵＥは、オペレータＣＳＧリストがＣＳＧ ＩＤを削除するように更新される前に、ＣＳＧから取り除かれることができる。別の例として、ＣＳＧについてのＵＥのメンバーシップは、オペレータＣＳＧリストがＣＳＧ ＩＤを削除するように更新される前に失効することができる。
【００９７】
ＣＳＧセルは、少なくともオペレータＣＳＧリストと１セットの禁止されたＣＳＧ ＩＤの関数としてＵＥによるアクセスに適切または不適切であるとして認識されることができる。例えば、１セットの禁止されたＣＳＧ ＩＤにおいて所与の禁止されたＣＳＧ ＩＤとして保存された対応ＣＳＧ ＩＤを備えた、所与のＣＳＧと関連づけられた所与のＣＳＧセルは、ＵＥによるアクセスに不適切であるとみなされることができる。別の図示に従い、１セットの禁止されたＣＳＧ ＩＤは、残りのサブセットのＣＳＧ ＩＤをもたらすためにオペレータＣＳＧリストに含まれる１セットのＣＳＧ ＩＤから取り除かれることができる、ここにおいて、残りのサブセットのＣＳＧ ＩＤに含まれる対応ＣＳＧ ＩＤを備えたＣＳＧと関連づけられたＣＳＧセルは、ＵＥによるアクセスに適切であるとみなされることができる。さらに、禁止されたＣＳＧ ＩＤを備えたＣＳＧセルは、ＵＥによるアクセスに不適切であるとみなされる場合がある。別の例に従い、オペレータＣＳＧリストから省略され、ＵＥの許可されたＣＳＧリストから省略されたＣＳＧ ＩＤを備えたＣＳＧセルは、ＵＥによるアクセスに不適切であるとみなされることができ、ＵＥは、許可されたＣＳＧリストの許諾を読み出し、書き込むことができる。
【００９８】
別の例に従い、オペレータＣＳＧリストの更新は、少なくとも１つの禁止されたＣＳＧＩＤが（例えば、１セットの禁止されたＣＳＧ ＩＤにおいて、・・・）保存されるとき、開始されることができる。例えば、少なくとも１つの禁止されたＣＳＧ ＩＤが保存されるときの次のアクセス時に、オペレータＣＳＧリストを更新することが開始されることができる。別の例に従い、オペレータＣＳＧリストを更新することは、少なくとも１つの禁止されたＣＳＧ ＩＤが保存される間の予め決定された長さの時間の後で、開始されることができる。しかし、特許請求された主題は、前述の例に限定されない、ということは理解されるべきである。
【００９９】
別の例として、１セットの禁止されたＣＳＧ ＩＤは消去されることができる。この例に従い、１セットの禁止されたＣＳＧ ＩＤは、ＵＥをオフに切り替えられるとき、ＵＥからユニバーサル加入者アイデンティティモジュール（ＵＳＩＭ）を取り除くとき、周期的に、オペレータＣＳＧリストが更新されるとき、および同様なときに、消去されることができる。例えば、オペレータＣＳＧリストは、ＯＭＡ ＤＭプロシージャまたはＯＴＡプロシージャを介してネットワーク（例えば、ＣＳＧリストサーバ、・・・）によって更新されることができる。
【０１００】
別の例にしたがって、ＣＳＧ ＩＤ（または同様ないずれの異なるＣＳＧ ＩＤ）は、１セットの禁止されたＣＳＧ ＩＤから取り除かれることができる。ＣＳＧ ＩＤは、マニュアルＣＳＧ選択をインプリメントするときに１セットの禁止されたＣＳＧ ＩＤから取り除かれることができる。例えば、アタッチリクエストメッセージは、そのマニュアルＣＳＧ選択に基づいて、禁止されたＣＳＧ ＩＤとして保存されたＣＳＧ ＩＤに対応するＣＳＧセルに対して、送信されることができる。さらに、アタッチ受諾メッセージは、アタッチリクエストメッセージに応じてＣＳＧセルから受信されることができる。さらにＣＳＧＩＤは、アタッチ受諾メッセージを受信することに応じて１セットの禁止されたＣＳＧＩＤから取り除かれることができる。別の例として、マニュアルＣＳＧ選択に基づいて禁止されたＣＳＧ ＩＤとして保存されたＣＳＧ ＩＤに対応するＣＳＧセルに対してリクエストメッセージは送信されることができ、ここにおいて、リクエストメッセージは、トラッキングエリア更新リクエストメッセージ、ロケーションエリア更新リクエストメッセージ、および／または、ルーティングエリア更新リクエストメッセージであることができる。この例に従い、受諾メッセージは、リクエストメッセージに応じてＣＳＧセルから受信されることができ、ここにおいて、受諾メッセージは、トラッキングエリア更新受諾メッセージ、ロケーションエリア更新受諾メッセージ、および／または、ルーティングエリア更新受諾メッセージであることができる。さらにＣＳＧ ＩＤは、受諾メッセージを受信することに応じて１セットの禁止されたＣＳＧ ＩＤから取り除かれることができる。さらに別の例として、ＣＳＧ ＩＤは、ＣＳＧ ＩＤがオペレータＣＳＧリストから取り除かれるとき、１セットの禁止されたＣＳＧ ＩＤから取り除かれることができる。しかし、特許請求された主題は、前述の例に限定されない、ということは理解されるべきである。
【０１０１】
さらに、例えば、ＣＳＧ ＩＤがオペレータＣＳＧリストに含まれるとき、拒否メッセージを受信することに応じて、セル選択についてアクセスストラタム（ＡＳ）に対して提供される許可されたＣＳＧアイデンティティのリストにＣＳＧ ＩＤを含むことは阻止されることができる。別の説明に従い、オペレータＣＳＧリストにあるものとしてＣＳＧＩＤをディスプレイすることは、ＣＳＧ ＩＤが禁止されたＣＳＧ ＩＤとして保存されるとき、マニュアルＣＳＧ選択モードについて阻止されることがある。さらに別の例として、ＵＥがメンバであるというＣＳＧと関連づけられているものとしてＣＳＧ ＩＤをディスプレイすることは、ＣＳＧ ＩＤが禁止されたＣＳＧ ＩＤとして保存されたとき、阻止されることができる。
【０１０２】
図９を参照すると、無線通信環境におけるアクセスについて適切なセルを識別することを容易にする方法９００が図示されている。９０２で、ユーザ機器（ＵＥ）がクローズド加入者グループ（ＣＳＧ）について認可されないということを示しているメッセージは受信されることができる。例えば、メッセージは、ＣＳＧと関連づけられたＣＳＧセルにアクセスすることに応じて受信されることができる。９０４で、ＣＳＧに対応するＣＳＧ識別子（ＩＤ）がオペレータＣＳＧリストに存在しているかどうかは認識されることができる。さらに、オペレータＣＳＧリストは、読み出し専用であり、オペレータによって制御されることができる。９０６で、ＣＳＧ ＩＤがオペレータＣＳＧリストに存在するとき、セル選択についてアクセスストラタム（ＡＳ）に対して提供される許可されたＣＳＧアイデンティティのリストにＣＳＧ ＩＤを含むことは阻止されることができる。さらに、許可されたＣＳＧ ＩＤのリストは、非アクセスストラタム（ＮＡＳ）によりＡＳに対して提供されることができる。別の例として、ＣＳＧ ＩＤは、ＵＥがオフに切り替えられるまで、ユニバーサル加入者アイデンティティモード（ＵＳＩＭ）がＵＥから取り除かれるまで、またはオペレータＣＳＧリストが更新されるまで等の時間期間の間、許可されたＣＳＧ ＩＤのリストに含まれることから阻止されることができる。
【０１０３】
図１０に戻ると、無線通信環境におけるマニュアルＣＳＧ選択モードについてオペレータＣＳＧリストにおけるエントリをディスプレイすることを容易にする方法１０００が図示されている。１００２で、ユーザ機器（ＵＥ）がクローズド加入者グループ（ＣＳＧ）について認可されないということを示しているメッセージが受信されることができる。例えば、メッセージは、ＣＳＧと関連づけられたＣＳＧセルにアクセスすることに応じて受信されることができる。１００４で、ＣＳＧに対応ＣＳＧ識別子（ＩＤ）がオペレータＣＳＧリストに存在しているかどうかが認識されることができる。さらに、オペレータＣＳＧリストは、読み出し専用であり、オペレータによって制御されることができる。１００６で、マニュアルＣＳＧ選択モードについてＵＥにおいて保存されたオペレータＣＳＧリストに、ＣＳＧ ＩＤがあるということを示すことをＵＥは阻止されることができる。さらなる例に従い、ＵＥがオフに切り替えられるまで、ユニバーサル加入者アイデンティティモード（ＵＳＩＭ）がＵＥから取り除かれるまで、オペレータＣＳＧリストが更新されるまで等の時間期間の間、ＵＥにおいて保存されたオペレータＣＳＧリストに、ＣＳＧＩＤはあるということを示すことからＵＥが阻止されることができる（例えば、そのディスプレイを阻止する、・・・）。
【０１０４】
ここにおいて説明される1つまたは複数の態様に従い、多元接続モードをサポートする無線通信環境においてＣＳＧに対するアクセス制御の管理を達成することに関する推論がなされることができる。ここにおいて使用されるように、用語「推論する(infer)」または「推論(inference)」は、一般には、イベントおよび/またはデータを介してキャプチャされた1セットの観測からシステム、環境、および/またはユーザ、の状態について推理あるいは推論するプロセスを指す。推論は、特定の文脈または動作を識別するために利用されることができる、または、例えば、状態に関する確率分布を生成することができる。この推論は、確率的であることができ、すなわち、データおよびイベントの考慮事項に基づいた、関心の状態に関する確率分布のコンピューテーションである。推論は、１セットのイベント/またはデータからハイレベルのイベントを構成するために用いられる技法を指す場合もある。このような推論は、当イベントが密接な時間的近接性において相互に関係してもしなくても、かつ当イベントならびに当データが、1つのイベントおよびデータソースから生じようと、複数のイベントおよびデータソースから生じようと、結果として、１セットの観測されたイベントおよび/または格納されたイベントデータから、新しいイベントまたは新しい活動の構成をもたらす。
【０１０５】
図１１は、無線通信システムにおけるＣＳＧへのアクセス制御を管理するＵＥ１１００の図である。ＵＥ１１００は、例えば受信アンテナ（図示されず）から信号を受信し、その受信された信号に関して典型的な動作を実行し（例、フィルタにかけ、増幅し、ダウンコンバートし等）、その条件づけられた信号をデジタル化して、サンプルを得る受信機１１０２を備える。受信機１１０２は、例えばＭＭＳＥ受信機であることができ、そして、受信されたシンボルを復調しそれらをチャネル推定のためにプロセッサ１１０６に対して提供することができる復調器１１０４、を備えることができる。一例にしたがって、受信機１１０２は、基地局に対応するＣＳＧを識別する通知ＣＳＧＩＤを得ることができる。プロセッサ１１０６は、受信機１１０２によって受信される情報を分析すること及び／または送信機１１１６による送信のために情報を生成することを専用とするプロセッサと、ＵＥ１１００の１以上のコンポーネントを制御するプロセッサと、及び／または、受信機１１０２によって受信される情報を分析すること及び／または送信機１１１６による送信のために情報を生成することと、ＵＥ１１００の１以上のコンポーネントを制御することと、の両方を行うプロセッサと、であることができる。
【０１０６】
ＵＥ１１００は、プロセッサ１１０６に操作的に結合される、そして、送信されるべきデータ、受信されたデータ、およびここにおいて記載される様々な動作および関数を実行することに関連するいずれの他の適切な情報を保存することができる、メモリ１１０８をさらに備えることができる。例えばメモリ１１０８は、得られたＣＳＧ ＩＤを分析することと関連づけられたプロトコルおよび／またはアルゴリズムを保存することができる。さらに、メモリ１１０８は、オペレータＣＳＧリストからアクセスするために基地局を（例えばマニュアルあるいは自動的なＣＳＧ選択を介して、・・・）選択することと、ＣＳＧについての認可をＵＥは欠くということを示す拒否メッセージを検出することと、ＣＳＧ ＩＤがオペレータＣＳＧリストに含まれるとき拒否メッセージを受信することに応じて１セットの禁止されたＣＳＧ ＩＤにおいてＵＥ１１００の禁止されたＣＳＧとしてＣＳＧ ＩＤを保存することと、関連づけられたプロトコルおよび／またはアルゴリズムを保存することができる。メモリ１１０８はまた、読み出し専用でオペレータによって制御されることができるオペレータＣＳＧリスト（例えば、図２のオペレータＣＳＧリスト２０８、・・・）と、１セットの禁止されたＣＳＧ ＩＤ（例えば、図２の１セットの禁止されたＣＳＧ ＩＤ２１６、・・・）と、を含むことができる。メモリ１１０８はまた、許可されたＣＳＧリスト（例えば、図３の許可されたＣＳＧリスト３０２、・・・）を含むことができるということはさらに予期され、ここで、ＵＥ１１００は、許可されたＣＳＧリストに対する許諾を読み出し書き込むことができ、さらに、特許請求される主題の事柄はそれほど限定されないということは理解されるべきである。
【０１０７】
ここに説明されるデータストア（例：メモリ１１０８）は、揮発性メモリか不揮発性メモリかのいずれかであることができ、あるいは揮発性メモリと不揮発性メモリの両方を含むことができる、ということが理解されるであろう。限定ではなく、例として、不揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、あるいはフラッシュメモリを含むことが出来る。揮発性メモリは、外部キャッシュメモリとして作用するランダムアクセスメモリ（ＲＡＭ）を含むことが出来る。限定ではなく、例として、ＲＡＭは、シンクロナスＲＡＭ（ＳＲＡＭ）、動的ＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、拡張ＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）、のような多くの形態で利用可能である。主題のシステムおよび方法のメモリ１１０８は、制限されずに、これらおよびいずれの他の適切なタイプのメモリを備えるように意図される。
【０１０８】
プロセッサ１１０６は、選択コンポーネント１１１０および／または禁止されたＣＳＧ管理コンポーネント１１１２に操作的に結合されることができる。選択コンポーネント１１１０は図２の選択コンポーネント２１０と実質的に同等であることができる、および／または、禁止されたＣＳＧ管理コンポーネント１１１２は、図２の禁止されたＣＳＧ管理コンポーネント２１４と実質的に同等であることができる。選択コンポーネント１１１０は、オペレータＣＳＧリスト（例えば、メモリ１１０８において保持される、・・・）に含まれる対応ＣＳＧ ＩＤを備えた、ＣＳＧと関連づけられたＣＳＧセルにアクセスすることを選択することができる。さらに、ＵＥ１１００（例、受信機１１０２、・・・）は、ＣＳＧについての認証をＵＥ１１００が欠くということを示す拒否メッセージを受信することができる。さらに、禁止されたＣＳＧ管理コンポーネント１１１２は、ＣＳＧ ＩＤがオペレータＣＳＧリストに含まれるとき、拒否メッセージを受信することに応じて、１セットの禁止されたＣＳＧ ＩＤにおいてＵＥの禁止されたＣＳＧ ＩＤとしてＣＳＧＩＤを保存することができる。図示されてはいないが、ＵＥ１１００は、フィルタコンポーネント（例えば、図３のフィルタコンポーネント３０４と実質的に同等である、・・・）、ディスプレイコンポーネント（例えば、図４のディスプレイコンポーネント４０２と実質的に同等である、・・・）、および／または、リスト管理コンポーネント（例えば、図５のリスト管理コンポーネント５０４と実質的に同等である、・・・）をさらに含むことができる、ということは理解されるべきである。ＵＥ１１００は、変調器１１１４と、基地局に対してデータ、信号などを送信する送信機１１１６と、をさらに備える。プロセッサ１１０６とは別個であると図示されているが、選択コンポーネント１１１０、禁止されたＣＳＧ管理コンポーネント１１１２および／または変調器１１１４は、プロセッサ１１０６または多数のプロセッサ（図示されず）の一部であることができる、ということは理解されるべきである。
【０１０９】
図１２は、無線通信環境におけるアクセスをサポートするシステム１２００の図である。システム１２００は、複数の受信アンテナ１２０６を通じて１つまたは複数のＵＥ１２０４から信号（単数または複数）を受信する受信機１２１０と、送信アンテナ１２０８を通じて１つまたは複数のモバイルデバイス１２０４に対して送信する送信機１２２０と、を備える基地局１２０２（例えば、アクセスポイント、・・・）を備える。受信機１２１０は、受信アンテナ１２０６から情報を受信することができ、その受信された情報を復調する復調器１２１２と操作的に関連づけられる。復調されたシンボルは、図１１に関して上述されるプロセッサと類似することができるプロセッサ１２１４によって分析され、そしてそれは、ＵＥ（単数または複数）１２０４間で送受信されるべきデータ及び／またはここに記載される様々な動作および機能を実行することに関連するいずれの他の適切情報を保存するメモリ１２１６に結合される。基地局１２０２は、変調器１２１８をさらに含むことができる。変調器１２１８は、前述の説明にしたがってＵＥ（単数または複数）１２０４に対するアンテナ１２０８を通じた送信機１２２０による送信のためにフレームを多重化することができる。プロセッサ１２１４とは別個なものとして図示されているが、変調器１２１８は、プロセッサ１２１４または多数のプロセッサ（図示されず）の一部であることができる、ということは理解されるべきである。
【０１１０】
図１３は、例示的な無線通信システム１３００を示す。無線通信システム１３００は、簡潔のために、１つの基地局１３１０と１つのＵＥ１３５０を図示する。しかしながら、システム１３００は、１以上の基地局及び／または１以上のＵＥを含むことができ、追加の基地局及び／またはＵＥは、下記で説明されているように例示的な基地局１３１０とＵＥ１３５０と実質的に同じまたは異なることができる、ということは理解されるべきである。さらに、基地局１３１０及び／またはＵＥ１３５０は、それらの間の無線通信を容易にするためにここに記載されるシステム（図１−７、図１１−１２、及び図１４−１６）及び／または方法（図８−１０）を利用することができる。
【０１１１】
基地局１３１０では、多数のデータストリームについてのトラヒックデータがデータソース１３１２から送信（ＴＸ）データプロセッサ１３１４に対して提供される。一例によると、各データストリームは、それぞれのアンテナにわたって送信されることができる。ＴＸデータプロセッサ１３１４は、そのデータストリームについて選択された特定の符号化スキームに基づいて、トラヒックデータストリームをフォーマット化し、符号化し、そしてインタリーブして、符号化データを提供する。
【０１１２】
各データストリームについての符号化データは、直交周波数多重化（ＯＦＤＭ）技術を使用して、パイロットデータで多重化されることができる。追加的に、あるいは、代替的に、パイロットシンボルは、周波数多重化される（ＦＤＭ）、時分割多重化される（ＴＤＭ）、あるいは、符号分割多重化（ＣＤＭ）される、ことができる。パイロットデータは、既知の方法で処理される、一般的には既知データであり、チャネルレスポンスを推定するためにＵＥ１３５０において使用されることができる。各データストリームについての多重化されたパイロットと符号化データは、変調シンボルを提供するためにそのデータストリームについて選択される特定の変調スキーム（例、２相シフトキーイング（ＢＰＳＫ）、４相シフトキーイング（ＱＰＳＫ）、Ｍ相シフトキーイング（Ｍ−ＰＳＫ）、Ｍ直角位相振幅変調（Ｍ−ＱＡＭ）等）に基づいて変調される（例えば、シンボルマッピングされる）ことができる。各データストリームについてのデータレート、符号化および変調は、プロセッサ１３３０によって、実行される、または、提供される、命令によって決定されることができる。
【０１１３】
データストリームについての変調シンボルは、ＴＸ ＭＩＭＯプロセッサ１３２０に対して提供されることができ、そしてそれは、変調シンボル（例、ＯＦＤＭ用）をさらに処理することができる。ＴＸ ＭＩＭＯプロセッサ１３２０は、ＮＴ送信機（ＴＭＴＲ）１３２２ａ〜１３２２ｔに対して、ＮＴ変調シンボルストリームを提供する。様々な実施形態では、ＴＸ ＭＩＭＯプロセッサ１３２０は、データストリームのシンボルに対して、そしてシンボルが送信されているアンテナに対して、ビームフォーミング重み付けを適用する。
【０１１４】
各送信機１３２２は、１以上のアナログ信号を提供するために、それぞれのシンボルストリームを受信し処理し、ＭＩＭＯチャネル上の送信に適した変調信号を提供するためにアナログ信号をさらに条件づける（例、増幅し、フィルタにかけ、そしてアップコンバートする）。さらに、送信機１３２２ａ〜１３２２ｔのＮＴ変調信号は、それぞれ、ＮＴアンテナ１３２４ａ〜１３２４ｔまで送信される。
【０１１５】
ＵＥ１３５０では、送信された変調信号は、ＮＲアンテナ１３５２ａ〜１３５２ｒによって受信され、各アンテナ１３５２からの受信信号は、それぞれの受信機（ＲＣＶＲ）１３５４ａ〜１３５４ｒに対して提供される。各受信機１３５４は、それぞれの信号を条件づけ（例、フィルタにかけて、増幅し、ダウンコンバートし）、サンプルを提供するためにその条件づけられた信号をデジタル化し、対応する「受信」シンボルストリームを提供するためにサンプルをさらに処理する。
【０１１６】
ＲＸデータプロセッサ１３６０は、ＮＴ「検出」シンボルストリームを提供するために、特定の受信機処理技術に基づいて、ＮＲ受信機１３５４からＮＲ受信シンボルストリームを受信し処理することができる。ＲＸデータプロセッサ１３６０は、データストリームについてのトラヒックデータを回復するために、各検出されたシンボルストリームを復調し、デインタリーブし、復号することができる。ＲＸデータプロセッサ１３６０による処理は、基地局１３１０において、ＴＸ ＭＩＭＯプロセッサ１３２０とＴＸデータプロセッサ１３１４によって実行されるものの相補である。
【０１１７】
プロセッサ１３７０は、上述されているように、どのプレコーディングマトリクス(precoding matrix)を利用するかを周期的に決定することができる。さらに、プロセッサ１３７０は、マトリックスインデクス部分とランク値部分とを備える逆方向リンクメッセージを公式化することができる。
【０１１８】
逆方向リンクメッセージは、通信リンク及び／または受信されたデータストリームに関する様々なタイプの情報を備えることができる。逆方向リンクメッセージは、データソース１３３６から多数のデータストリームについてのトラヒックデータも受信するＴＸデータプロセッサ１３３８によって処理され、変調器１３８０によって変調され、送信機１３５４ａ〜１３５４ｒによって条件づけられ、そして、基地局１３１０に返送されることができる。
【０１１９】
基地局１３１０では、ＵＥ１３５０からの変調信号は、ＵＥ１３５０によって送信される逆方向リンクメッセージを抽出するために、アンテナ１３２４によって受信され、受信機１３２２によって条件付けられ、復調器１３４０によって復調され、ＲＸデータプロセッサ１３４２によって処理される。さらに、プロセッサ１３３０は、ビームフォーミング重みを決定するためにどのプレコーディングマトリックスを使用するかを決定するために、抽出されたメッセージを処理することができる。
【０１２０】
プロセッサ１３３０および１３７０は、それぞれ基地局１３１０とＵＥ１３５０において、オペレーションを命令することができる(例えば、制御する、調整する、管理するなど)。それぞれのプロセッサ１３３０および１３７０は、プログラムコード及びデータを保存するメモリ１３３２および１３７２と関連づけられることができる。プロセッサ１３３０および１３７０はまた、それぞれ、アップリンクとダウンリンクのための周波数及びインパルス応答推定値を導出するためにコンピューテーションを実行することができる。
【０１２１】
ここに説明されている実施形態はハードウェア、ソフトウェア、ファームウェア、ミドルウェア、マイクロコード、あるいはそれらのいずれの組み合わせによってインプリメントされることができる、ということが理解されるべきである。ハードウェアインプリメンテーションの場合、例えば、処理ユニットは、１つまたは複数の特定用途向け集積回路（ＡＳＩＣ）、デジタルシグナルプロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、ここにおいて記載された機能を実行するように設計された他の電子ユニット、または、それらの組み合わせ、内でインプリメントされることができる。
【０１２２】
実施形態が、ソフトウェア、ファームウェア、ミドルウェアあるいはマイクロコード、プログラムコードあるいはコードセグメント(code segment)においてインプリメントされるとき、それらは、ストレージコンポーネントのような機械可読媒体(machine-readable medium)において保存されることが出来る。コードセグメントは、プロシージャ(procedure)、関数(function)、サブプログラム、プログラム、ルーチン、サブルーチン、モジュール、ソフトウェアパッケージ、クラス、あるいは、命令、データストラクチャ、あるいはプログラムステートメントのいずれの組み合わせ、を表すことが出来る。コードセグメントは、情報、データ、アーギュメント(arguments)、パラメータあるいはメモリコンテンツを受け渡しすることおよび/または受信することによって、別のコードセグメントあるいはハードウェア回路に結合されることが出来る。情報、アーギュメント、パラメータ、データなどは、メモリの共有、メッセージパッシング(message passing)、トークンパッシング(token passing)、ネットワーク伝送などを含んでいる、いずれの適切な手段を使用して、受け渡され、転送され、あるいは送信されることが出来る。
【０１２３】
ソフトウェアインプリメンテーションの場合、ここに説明された技法は、ここに説明された機能を実行するモジュール(例、プロシージャ、関数、など)でインプリメントされることが出来る。ソフトウェアコードは、メモリユニットに保存され、プロセッサによって実行されることが出来る。メモリユニットは、プロセッサ内で、あるいはプロセッサ外で、インプリメントされることが出来、この場合には、それは、当技術分野において知られているような様々な手段を介してプロセッサに通信的に結合されることが出来る。
【０１２４】
図１４を参照すると、無線通信環境におけるアクセス制御を管理することを可能にするシステム１４００が図示されている。例えば、システム１４００は、ＵＥ内に常駐することができる。システム１４００は、機能ブロックを含むものとして表わされており、その機能ブロックは、プロセッサ、ソフトウェア、またはそれらの組み合わせ（例、ファームウェア）によってインプリメントされる関数を表わす機能ブロックであることができる、ということは理解されるべきである。システム１４００は、共に作用することができる電子コンポーネントのロジカルグルーピング１４０２を含む。例えば、ロジカルグルーピング１４０２は、ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択するための電子コンポーネント１４０４、を含むことができ、オペレータＣＳＧリストは、読み出し専用で、オペレータによって制御される。さらに、ロジカルグルーピング１４０２は、ＣＳＧ ＩＤがオペレータＣＳＧリストに含まれるとき、ＣＳＧについての認可をＵＥが欠くということを示す拒否メッセージを受信することに応じて禁止されたＣＳＧ ＩＤとしてＣＳＧ ＩＤを保存するための電子コンポーネント１４０６を備えることができる。オプションで、ロジカルグルーピング１４０２は、１セットの禁止されたＣＳＧ ＩＤから少なくとも禁止されたＣＳＧ ＩＤを取り除くための電子コンポーネント１４０８を含むことができる。ロジカルグルーピング１４０２はまた、アクセスに適切なＣＳＧセルを識別するための電子コンポーネント１４１０をオプションで含むことができる。さらに、システム１４００は、電子コンポーネント１４０４、１４０６、１４０８、及び１４１０と関連づけられた機能を実行するための命令を保持するメモリ１４１２を含むことができる。メモリ１４１２の外側にあるものとして示されているが、電子コンポーネント１４０４、１４０６、１４０８、及び１４１０のうちの１以上がメモリ１４１２内に存在することができるということは理解されるべきである。
【０１２５】
図１５を参照すると、無線通信環境におけるアクセスに適切なＣＳＧセルを検出することを可能にするシステム１５００が図示されている。例えば、システム１５００は、ＵＥ内に常駐することができる。システム１５００は、機能ブロックを含むものとして表わされており、その機能ブロックは、プロセッサ、ソフトウェア、またはそれらの組み合わせ（例、ファームウェア）を表わす機能ブロックであることができる、ということは理解されるべきである。システム１５００は、共に作用することができる電子コンポーネントのロジカルグルーピング１５０２を含む。例えば、ロジカルグループ１５０２は、ユーザ機器（ＵＥ）がクローズド加入者グループ（ＣＳＧ）について認可されないということを示しているメッセージを受信するための電子コンポーネント１５０４、を含むことができる。さらに、ロジカルグループ１５０２は、ＣＳＧ ＩＤがオペレータＣＳＧリストに存在するときセル選択についてアクセスストラタム（ＡＳ）に対して提供される許可されたＣＳＧ ＩＤのリストにＣＳＧに対応するＣＳＧ識別子（ＩＤ）を含めることを阻止するための電子コンポーネント１５０６を含むことができ、オペレータＣＳＧリストは、読み出し専用であり、オペレータによって制御される。ロジカルグルーピング１５０２はまた、ＣＳＧに対応するＣＳＧ ＩＤがオペレータＣＳＧリストに存在するかどうかを識別するための電子コンポーネント１５０８をオプションで含むことができる。さらに、システム１５００は、電子コンポーネント１５０４、１５０６、及び１５０８と関連づけられた機能を実行するための命令を保持するメモリ１５１０を含むことができる。メモリ１５１０の外側にあるものとして示されているが、電子コンポーネント１５０４、１５０６、及び１５０８のうちの１以上がメモリ１５１０内に存在することができるということは理解されるべきである。
【０１２６】
図１６を参照すると、無線通信環境におけるマニュアルＣＳＧ選択モードと関連してＣＳＧ ＩＤをディスプレイすることをイネーブルにする例示的なシステムが図示されている。例えば、システム１６００は、ＵＥ内に常駐することができる。システム１６００は、機能ブロックを含むものとして表わされており、その機能ブロックは、プロセッサ、ソフトウェア、またはそれらの組み合わせ（例、ファームウェア）を表わす機能ブロックであることができる、ということは理解されるべきである。システム１６００は、共に作用することができる電子コンポーネントのロジカルグルーピング１６０２を含む。例えば、ロジカルグループ１６０２は、ユーザ機器（ＵＥ）がクローズド加入者グループ（ＣＳＧ）について認可されないということを示しているメッセージを受信するための電子コンポーネント１６０４、を含むことができる。さらに、ロジカルグループ１６０２は、マニュアルＣＳＧ選択モードについてＵＥにおいて保存されたオペレータＣＳＧリストに、ＣＳＧに対応ＣＳＧ識別子（ＩＤ）があるということをＵＥが示すことを阻止するための電子コンポーネント１６０６と、を含むことができ、オペレータＣＳＧリストは、読み出し専用であり、オペレータによって制御される。さらに、ロジカルグルーピング１６０２はまた、ＣＳＧに対応するＣＳＧ ＩＤがオペレータＣＳＧリストに存在するかどうかを識別するための電子コンポーネント１６０８をオプションで含むことができる。さらに、システム１６００は、電子コンポーネント１６０４、１６０６、及び１６０８と関連づけられた機能を実行するための命令を保持するメモリ１６１０を含むことができる。メモリ１６１０の外側にあるものとして示されているが、電子コンポーネント１６０４、１６０６、及び１６０８のうちの１つまたは複数がメモリ１６１０内に常駐することができるということは理解されるべきである。
【０１２７】
ここに開示に開示される実施形態に関連して説明された様々な説明のためのロジック、ロジカルブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブルロジックデバイス、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、いずれの従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、としてインプリメントされることができる。さらに、少なくとも１つのプロセッサは、上記で説明されたステップ及び／または動作のうちの１つまたは複数を実行することが動作可能な１つまたは複数のモジュールを備えることができる。
【０１２８】
さらに、ここに開示された態様に関連して説明された方法あるいはアルゴリズムのステップ及び/または動作は、直接的にハードウェアにおいて、プロセッサによって実行されたソフトウェアモジュールにおいて、あるいはこれら２つの組み合わせにおいて、具現化されることができる。ソフトウェアモジュール、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られているストレージ媒体のいずれの他の形式、で常駐することができる。例示的なストレージ媒体は、プロセッサに結合されるので、プロセッサは、ストレージ媒体から情報を読み出すことができ、またストレージ媒体に情報を書き込むことができる。あるいは、ストレージ媒体は、プロセッサに一体化されることができる。さらに、いくつかの態様は、プロセッサとストレージ媒体は、ＡＳＩＣにおいて常駐することができる。さらに、ＡＳＩＣは、ユーザ端末において常駐することができる。あるいは、プロセッサとストレージ媒体は、ユーザ端末において、ディスクリートコンポーネントとして常駐することができる。さらに、いくつかの態様では、方法またはアルゴリズムのステップ及び／または動作は、コンピュータプログラムプロダクトへ組み込まれることができる、機械可読媒体および／またはコンピュータ可読媒体上で、１つまたは任意の組み合わせまたは複数セットのコード及び／または命令として、常駐することができる。
【０１２９】
１つまたは複数の態様においては、説明された機能(functions)は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、1つまたは複数の命令あるいはコードとして、保存または送信されることができる。コンピュータ可読媒体は、ある場所から別の場所へのコンピュータプログラムの転送(transfer)を容易にするいずれの媒体も含んでいる、コンピュータストレージ媒体(computer storage media)と通信媒体(communication media)の両方を含む。ストレージ媒体は、コンピュータによってアクセスされることができる、いずれの利用可能な媒体であることができる。限定ではなく、例として、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータ構造の形式で望ましいプログラムコードを保存あるいは搬送するために使用されることができる、また、コンピュータによってアクセスされることができる、任意の他の媒体も備えることができる。また、いずれの接続(connection)もコンピュータ可読媒体と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)(ＤＳＬ)、あるいは赤外線、無線、およびマイクロ波のような無線技術を使用している他の遠隔ソース、から送信される場合には、そのときには、同軸ケーブル、光ファイバーケーブル、ツイストペア、ＤＳＬ、あるいは赤外線、無線、およびマイクロ波のような無線技術は、媒体(medium)の定義に含まれている。ここに使用されているように、ディスク(disk)とディスク(disk)は、コンパクトディスク(compact disc) (ＣＤ)、レーザーディスク(登録商標)(laser disc)、光学ディスク(optical disc)、デジタル汎用ディスク(digital versatile disc)(ＤＶＤ)、フロッピー(登録商標)ディスク(disk)およびブルーレイディスク(blu-ray disc)を含んでおり、ディスク(disks)は、大抵、データを磁気で再生しているが、ディスク(discs)は、レーザーで光学的に再生する。上記のものの組み合わせも、また、コンピュータ可読媒体の範囲内に含まれるべきである。
【０１３０】
以上の開示は、説明の態様及び/または実施形態を説明しているが、様々な変更及び修正が、特許請求項の範囲によって定義されるように、記載された態様及び/または実施形態の範囲から逸脱することなく、ここにおいてなされることができるであろうということに留意されるべきである。さらに、説明された態様及び/または実施形態の構成要素は、単数形で説明または特許請求されることができるが、単数形への制限が明示的に述べられていない限り、複数形が意図されている。さらに、いずれの態様及び/または実施形態のすべてあるいは一部は、述べられていない限り、いずれの他の態様及び/または実施形態のすべてあるいは一部を用いて、利用されることができる。
以下に、本願出願の当初の特許請求の範囲に記載された発明を付記する。
［Ｃ１］
ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択することと、なお、前記オペレータＣＳＧリストは、読み出し専用で、オペレータによって制御される；
前記ＵＥが前記ＣＳＧについての認可を欠くということを示す拒否メッセージを受信すること；
前記ＣＳＧ ＩＤが前記オペレータＣＳＧリストに含まれるとき、前記拒否メッセージを受信することに応じて、１セットの禁止されたＣＳＧ ＩＤにおいて前記ＵＥの禁止されたＣＳＧ ＩＤとして前記ＣＳＧ ＩＤを保存することと；
を備える方法。
［Ｃ２］
前記ＵＥの禁止されたＣＳＧリストに前記禁止されたＣＳＧ ＩＤを保存すること、をさらに備えるＣ１に記載の方法。
［Ｃ３］
前記ＵＥは、前記オペレータＣＳＧリストが前記ＣＳＧ ＩＤを削除するように更新される前に、前記ＣＳＧから取り除かれる、Ｃ１に記載の方法。
［Ｃ４］
前記ＣＳＧについての前記ＵＥのメンバーシップは、前記オペレータＣＳＧリストが前記ＣＳＧ ＩＤを削除するように更新される前に失効する、Ｃ１に記載の方法。
［Ｃ５］
前記１セットの禁止されたＣＳＧ ＩＤにおいて所与の禁止されたＣＳＧ ＩＤとして保存された対応ＣＳＧ ＩＤを備えた、所与のＣＳＧと関連づけられた所与のＣＳＧセルは、前記ＵＥによるアクセスに不適切であると考えられる、Ｃ１に記載の方法。
［Ｃ６］
残りのサブセットのＣＳＧ ＩＤをもたらすために前記オペレータＣＳＧリストに含まれる１セットのＣＳＧ ＩＤから前記１セットの禁止されたＣＳＧ ＩＤを取り除くこと、をさらに備え、ここにおいて、前記残りのサブセットのＣＳＧ ＩＤに含まれる対応ＣＳＧ ＩＤを備えた、ＣＳＧと関連づけられたＣＳＧセルは、前記ＵＥによるアクセスに適切であるとみなされる、Ｃ１に記載の方法。
［Ｃ７］
禁止されたＣＳＧ ＩＤを備えたＣＳＧセルは、前記ＵＥによるアクセスに不適切であるとみなされる、Ｃ１に記載の方法。
［Ｃ８］
前記オペレータＣＳＧリストから省略され、前記ＵＥの許可されたＣＳＧリストから省略されたＣＳＧ ＩＤを備えたＣＳＧセルは、前記ＵＥによるアクセスに不適切であるとみなされ、前記ＵＥは、前記許可されたＣＳＧリストの許諾を読み出し、書き込む、Ｃ１に記載の方法。
［Ｃ９］
少なくとも１つの禁止されたＣＳＧ ＩＤが保存されるとき、前記オペレータＣＳＧリストの更新を開始すること、をさらに備えるＣ１に記載の方法。
［Ｃ１０］
前記少なくとも１つの禁止されたＣＳＧ ＩＤが保存されるときの次のアクセス時に、前記オペレータＣＳＧリストの前記更新を開始すること、をさらに備えるＣ９に記載の方法。
［Ｃ１１］
前記少なくとも１つの禁止されたＣＳＧ ＩＤが保存される間の予め決定された長さの時間の後で、前記オペレータＣＳＧリストの前記更新を開始すること、をさらに備えるＣ９に記載の方法。
［Ｃ１２］
前記１セットの禁止されたＣＳＧ ＩＤを消去すること、をさらに備えるＣ１に記載の方法。
［Ｃ１３］
前記ＵＥをオフに切り替えるとき、前記１セットの禁止されたＣＳＧ ＩＤを消去すること、をさらに備えるＣ１２に記載の方法。
［Ｃ１４］
前記ＵＥからユニバーサル加入者アイデンティティモジュール（ＵＳＩＭ）を取り除くとき、前記１セットの禁止されたＣＳＧ ＩＤを消去すること、をさらに備えるＣ１２に記載の方法。
［Ｃ１５］
前記１セットの禁止されたＣＳＧ ＩＤを周期的に消去すること、をさらに備えるＣ１２に記載の方法。
［Ｃ１６］
前記オペレータのＣＳＧリストが更新されるとき、前記１セットの禁止されたＣＳＧ ＩＤを消去すること、をさらに備えるＣ１２に記載の方法。
［Ｃ１７］
前記禁止されたＣＳＧ ＩＤを備えた、前記ＣＳＧセルと関連づけられたパブリックランドモバイルネットワーク（ＰＬＭＮ）アイデンティティを保存すること、をさらに備えるＣ１に記載の方法。
［Ｃ１８］
前記１セットの禁止されたＣＳＧ ＩＤから前記ＣＳＧ ＩＤを取り除くこと、をさらに備えるＣ１に記載の方法。
［Ｃ１９］
マニュアルＣＳＧ選択に基づいて、前記禁止されたＣＳＧ ＩＤとして保存された前記ＣＳＧ ＩＤに対応する前記ＣＳＧセルに対して、アタッチリクエストメッセージを送信することと、
前記アタッチリクエストメッセージに応じて前記ＣＳＧセルからアタッチ受諾メッセージを受信することと、
前記アタッチ受諾メッセージを受信することに応じて、前記１セットの禁止されたＣＳＧ ＩＤからＣＳＧ ＩＤを取り除くことと、
をさらに備えるＣ１８に記載の方法。
［Ｃ２０］
マニュアルＣＳＧ選択に基づいて、前記禁止されたＣＳＧ ＩＤとして保存された前記ＣＳＧ ＩＤに対応する前記ＣＳＧセルに対してリクエストメッセージを送信することと、ここにおいて、前記リクエストメッセージは、トラッキングエリア更新リクエストメッセージ、ロケーションエリア更新リクエストメッセージ、または、ルーティングエリア更新リクエストメッセージ、のうちの１つである；
前記リクエストメッセージに応じて前記ＣＳＧセルから受諾メッセージを受信することと、ここにおいて、前記受諾メッセージは、トラッキングエリア更新受諾メッセージ、ロケーションエリア更新受諾メッセージ、または、ルーティングエリア更新受諾メッセージ、のうちの１つである；
前記受諾メッセージを受信することに応じて前記１セットの禁止されたＣＳＧ ＩＤから前記ＣＳＧ ＩＤを取り除くことと；
をさらに備えるＣ１８に記載の方法。
［Ｃ２１］
前記ＣＳＧ ＩＤが前記オペレータＣＳＧリストから取り除かれるとき、前記１セットの禁止されたＣＳＧ ＩＤから前記ＣＳＧ ＩＤを取り除くことと、をさらに備えるＣ１８に記載の方法。
［Ｃ２２］
前記オペレータＣＳＧリストに含まれる前記対応ＣＳＧ ＩＤを備えた、前記ＣＳＧと関連づけられた前記ＣＳＧセルにアクセスすることを選択するとき、アタッチリクエストメッセージ、デタッチリクエストメッセージ、トラッキングエリア更新リクエストメッセージ、ロケーションエリア更新リクエストメッセージ、または、ルーティングエリア更新リクエストメッセージ、のうちの少なくとも１つを送信すること、をさらに備えるＣ１に記載の方法。
［Ｃ２３］
前記ＣＳＧ ＩＤが前記オペレータＣＳＧリストに含まれるとき、前記拒否メッセージを受信することに応じて、セル選択についてアクセスストラタム（ＡＳ）に対して提供される許可されたＣＳＧアイデンティティのリストに前記ＣＳＧ ＩＤを含めることを抑止すること、をさらに備えるＣ１に記載の方法。
［Ｃ２４］
前記ＣＳＧ ＩＤが前記禁止されたＣＳＧ ＩＤとして保存されるとき、マニュアルＣＳＧ選択モードについて前記オペレータＣＳＧリストにあるとして前記ＣＳＧ ＩＤをディスプレイすることを抑止すること、をさらに備えるＣ１に記載の方法。
［Ｃ２５］
前記ＣＳＧ ＩＤが前記禁止されたＣＳＧ ＩＤとして保存されるとき、前記ＵＥがメンバであるというＣＳＧと関連づけられているとして前記ＣＳＧ ＩＤをディスプレイすることを抑止すること、をさらに備えるＣ１に記載の方法。
［Ｃ２６］
無線通信装置であって、
ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択するように、なお、前記オペレータＣＳＧリストは、読み出し専用で、オペレータによって制御される；
前記ＵＥが前記ＣＳＧについての認可を欠くということを示す拒否メッセージを受信するように；
前記ＣＳＧ ＩＤが前記オペレータＣＳＧリストに含まれるとき、前記拒否メッセージを受信することに応じて１セットの禁止されたＣＳＧ ＩＤにおいて前記ＵＥの禁止されたＣＳＧ ＩＤとして前記ＣＳＧ ＩＤを保持するように；
構成された少なくとも１つのプロセッサ、
を備える無線通信装置。
［Ｃ２７］
前記オペレータＣＳＧリストが前記ＣＳＧ ＩＤを削除するように更新される前に前記ＣＳＧから前記ＵＥが取り除かれる、または、前記オペレータＣＳＧリストが前記ＣＳＧ ＩＤを削除するように更新される前に前記ＣＳＧについての前記ＵＥのメンバーシップが失効する、のうちの少なくとも１つである、Ｃ２６に記載の無線通信装置。
［Ｃ２８］
所与のＣＳＧセルは、少なくとも前記オペレータＣＳＧリストと前記１セットの禁止されたＣＳＧ ＩＤの関数として前記ＵＥによるアクセスに適切または不適切のうちの１つであるとして認識される、Ｃ２６に記載の無線通信装置。
［Ｃ２９］
少なくとも１つの禁止されたＣＳＧ ＩＤが保持されるとき、前記オペレータＣＳＧリストの更新を開始するように
構成された少なくとも１つのプロセッサ、
をさらに備えるＣ２６に記載の無線通信装置。
［Ｃ３０］
前記ＵＥをオフに切り替えるとき、周期的に、前記ＵＥからユニバーサル加入者アイデンティティモード（ＵＳＩＭ）を取り除くとき、または、前記オペレータＣＳＧリストが更新されるとき、のうちの少なくとも１つのときに、前記１セットの禁止されたＣＳＧ ＩＤを消去するように
構成された少なくとも１つのプロセッサ、
をさらに備えるＣ２６に記載の無線通信装置。
［Ｃ３１］
前記禁止されたＣＳＧ ＩＤを備えた前記ＣＳＧセルと関連づけられたパブリックランドモバイルネットワーク（ＰＬＭＮ）を保持するように
構成された少なくとも１つのプロセッサ、
をさらに備えるＣ２６に記載の無線通信装置。
［Ｃ３２］
マニュアルＣＳＧ選択の一部として送信されるアタッチリクエストメッセージに応じて得られる前記ＣＳＧセルから受諾メッセージを受信するとき、前記１セットの禁止されたＣＳＧ ＩＤから前記ＣＳＧ ＩＤを取り除くように
構成された少なくとも１つのプロセッサ、
をさらに備えるＣ２６に記載の無線通信装置。
［Ｃ３３］
前記ＣＳＧ ＩＤが前記オペレータＣＳＧリストから取り除かれるとき、前記１セットの禁止されたＣＳＧ ＩＤから前記ＣＳＧ ＩＤを取り除くように
構成された少なくとも１つのプロセッサ、
をさらに備えるＣ２６に記載の無線通信装置。
［Ｃ３４］
前記ＣＳＧ ＩＤが前記オペレータＣＳＧリストに含まれるとき、前記拒否メッセージを受信することに応じて、セル選択についてアクセスストラタム(ＡＳ)に対して提供される許可されたＣＳＧアイデンティティのリストに前記ＣＳＧ ＩＤを含めることを抑止するように
構成された少なくとも１つのプロセッサ、
をさらに備えるＣ２６に記載の無線通信装置。
［Ｃ３５］
前記ＣＳＧ ＩＤが前記禁止されたＣＳＧ ＩＤとして保存されるとき、マニュアルＣＳＧ選択モードについて前記オペレータＣＳＧリストにあるとして前記ＣＳＧ ＩＤをディスプレイすることを抑止するように
構成された少なくとも１つのプロセッサ、
をさらに備えるＣ２６に記載の無線通信装置。
［Ｃ３６］
前記ＣＳＧ ＩＤが前記禁止されたＣＳＧ ＩＤとして保持されるとき前記ＵＥがメンバであるＣＳＧと関連づけられているとして前記ＣＳＧ ＩＤをディスプレイすることを抑止するように
構成された少なくとも１つのプロセッサ、
をさらに備えるＣ２６に記載の無線通信装置。
［Ｃ３７］
ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択するための手段と、なお、前記オペレータＣＳＧリストは、読み出し専用でオペレータによって制御される；
前記ＣＳＧ ＩＤが前記オペレータＣＳＧリストに含まれるとき、前記ＵＥが前記ＣＳＧについての認可を欠くということを示す拒否メッセージを受信することに応じて禁止されたＣＳＧ ＩＤとして前記ＣＳＧ ＩＤを保存するための手段と；
を備える装置。
［Ｃ３８］
１セットの禁止されたＣＳＧ ＩＤから少なくとも前記禁止されたＣＳＧ ＩＤを取り除くための手段、
をさらに備えるＣ３７に記載の装置。
［Ｃ３９］
１セットの禁止されたＣＳＧ ＩＤが消去される、Ｃ３７に記載の装置。
［Ｃ４０］
アクセスに適切なＣＳＧセルを識別するための手段、
をさらに備えるＣ３７に記載の装置。
［Ｃ４１］
前記オペレータＣＳＧリストが前記ＣＳＧ ＩＤを削除するように更新される前に前記ＣＳＧから前記ＵＥは取り除かれる、または、前記オペレータＣＳＧリストが前記ＣＳＧ ＩＤを削除するように更新される前に前記ＣＳＧについての前記ＵＥのメンバーシップが失効する、のうちの少なくとも１つである、Ｃ３７に記載の装置。
［Ｃ４２］
コンピュータ可読媒体を備えるコンピュータプロダクトであって、前記コンピュータ可読媒体は、
ユーザ機器（ＵＥ）のオペレータＣＳＧリストに含まれる対応ＣＳＧ識別子（ＩＤ）を備えたＣＳＧと関連づけられたクローズド加入者グループ（ＣＳＧ）セルにアクセスすることを少なくとも１つのコンピュータに選択させるためのコード、なお、前記オペレータＣＳＧリストは、読み出し専用で、オペレータによって制御される；
前記ＣＳＧ ＩＤが前記オペレータＣＳＧリストに含まれるとき、前記ＵＥが前記ＣＳＧについての認可を欠くということを示す拒否メッセージを受信することに応じて禁止されたＣＳＧ ＩＤとして前記ＣＳＧ ＩＤを少なくとも１つのコンピュータに保存させるためのコードと；
を備える、
コンピュータプログラムプロダクト。
［Ｃ４３］
前記コンピュータ可読媒体は、１セットの禁止されたＣＳＧ ＩＤから少なくとも前記禁止されたＣＳＧ ＩＤを少なくとも１つのコンピュータに取り除かせるためのコード、をさらに備える、Ｃ４２に記載のコンピュータプログラムプロダクト。
［Ｃ４４］
前記１セットの禁止されたＣＳＧ ＩＤが消去される、Ｃ４３に記載のコンピュータプログラムプロダクト。
［Ｃ４５］
前記コンピュータ可読媒体は、前記禁止されたＣＳＧ ＩＤを含む１セットの禁止されたＣＳＧ ＩＤと前記オペレータＣＳＧリストに基づいてアクセスに適切なＣＳＧセルを少なくとも１つのコンピュータに識別させるためのコード、をさらに備える、Ｃ４２に記載のコンピュータプログラムプロダクト。
［Ｃ４６］
前記オペレータＣＳＧリストが前記ＣＳＧ ＩＤを削除するように更新される前に前記ＣＳＧから前記ＵＥは取り除かれる、または、前記オペレータＣＳＧリストが前記ＣＳＧ ＩＤを削除するように更新される前に前記ＣＳＧについての前記ＵＥのメンバーシップが失効する、のうちの少なくとも１つである、Ｃ４２に記載のコンピュータプログラムプロダクト。
［Ｃ４７］
ユーザ機器（ＵＥ）のオペレータＣＳＧリストに含まれる対応ＣＳＧ識別子（ＩＤ）を備えた、ＣＳＧと関連づけられたクローズド加入者グループ（ＣＳＧ）セルにアクセスすることを選択する選択コンポーネントと、なお、前記オペレータＣＳＧリストは、読み出し専用で、オペレータによって制御される；
前記ＣＳＧ ＩＤが前記オペレータＣＳＧリストに含まれるとき、前記ＵＥが前記ＣＳＧについての認可を欠くということを示す拒否メッセージを受信することに応じて１セットの禁止されたＣＳＧ ＩＤにおいて禁止されたＣＳＧ ＩＤとして前記ＣＳＧ ＩＤを保存する禁止されたＣＳＧ管理コンポーネントと；
を備える装置。
［Ｃ４８］
前記１セットの禁止されたＣＳＧ ＩＤと前記オペレータＣＳＧリストとに基づいて前記ＵＥによるアクセスに適切であるＣＳＧセルを認識するフィルタコンポーネント、をさらに備えるＣ４７に記載の装置。
［Ｃ４９］
ユーザ機器（ＵＥ）がクローズド加入者グループ（ＣＳＧ）について認可されないということを示しているメッセージを受信することと；
前記ＣＳＧに対応するＣＳＧ識別子（ＩＤ）がオペレータＣＳＧリストに存在しているかどうかを認識することと、なお、前記オペレータＣＳＧリストは読み出し専用で、オペレータによって制御される；
前記ＣＳＧ ＩＤが前記オペレータＣＳＧリストに存在するとき、セル選択についてアクセスストラタム（ＡＳ）に対して提供される許可されたＣＳＧ ＩＤのリストに前記ＣＳＧ ＩＤを含めることを抑止することと；
を備える方法。
［Ｃ５０］
前記許可されたＣＳＧ ＩＤのリストは、非アクセスストラタム（ＮＡＳ）により前記ＡＳに対して提供される、Ｃ４９に記載の方法。
［Ｃ５１］
前記ＵＥがオフに切り替えられるまで、ユニバーサル加入者アイデンティティモード（ＵＳＩＭ）が前記ＵＥから取り除かれるまで、または、前記オペレータＣＳＧリストが更新される、時間期間のうちの少なくとも１つの間、前記許可されたＣＳＧ ＩＤのリストに前記ＣＳＧ ＩＤが含まれることを抑止すること、をさらに備えるＣ４９に記載の方法。
［Ｃ５２］
無線通信装置であって、
ユーザ機器（ＵＥ）がクローズド加入者グループ（ＣＳＧ）について認可されないということを示しているメッセージを受信するように；
前記ＣＳＧに対応するＣＳＧ識別子（ＩＤ）がオペレータＣＳＧリストに存在しているかどうかを認識するように、なお、前記オペレータＣＳＧリストは読み出し専用で、オペレータによって制御される；
前記ＣＳＧ ＩＤが前記オペレータＣＳＧリストに存在するとき、セル選択についてアクセスストラタム（ＡＳ）に対して提供される許可されたＣＳＧ ＩＤのリストに前記ＣＳＧ ＩＤを含めることを抑止するように；
構成された少なくとも１つのプロセッサ、
を備える無線通信装置。
［Ｃ５３］
前記許可されたＣＳＧ ＩＤのリストは、非アクセスストラタム（ＮＡＳ）により前記ＡＳに対して提供される、Ｃ５２に記載の無線通信装置。
［Ｃ５４］
前記ＵＥがオフに切り替えられるまで、ユニバーサル加入者アイデンティティモード（ＵＳＩＭ）が前記ＵＥから取り除かれるまで、または、前記オペレータＣＳＧリストが更新される、の時間期間のうちの少なくとも１つの間、前記許可されたＣＳＧ ＩＤのリストに前記ＣＳＧ ＩＤが含まれることを抑止するように
構成された少なくとも１つのプロセッサ、
をさらに備えるＣ５２に記載の無線通信装置。
［Ｃ５５］
ユーザ機器（ＵＥ）がクローズド加入者グループ（ＣＳＧ）について認可されないということを示しているメッセージを受信するための手段と；
前記ＣＳＧ ＩＤがオペレータＣＳＧリストに存在するとき、セル選択についてアクセスストラタム（ＡＳ）に対して提供される許可されたＣＳＧ ＩＤのリストに前記ＣＳＧに対応するＣＳＧ識別子（ＩＤ）を含めることを抑止するための手段と、なお、前記オペレータＣＳＧリストは、読み出し専用であり、オペレータによって制御される；
を備える装置。
［Ｃ５６］
前記ＣＳＧに対応する前記ＣＳＧ ＩＤが前記オペレータＣＳＧリストに存在するかどうかを識別するための手段、をさらに備えるＣ５５に記載の装置。
［Ｃ５７］
コンピュータ可読媒体を備えるコンピュータプログラムプロダクトであって、前記コンピュータ可読媒体は、
ユーザ機器（ＵＥ）がクローズド加入者グループ（ＣＳＧ）について認可されないということを示しているメッセージを、少なくとも１つのコンピュータに受信させるためのコードと；
前記ＣＳＧ ＩＤがオペレータＣＳＧリストに存在するとき、セル選択についてアクセスストラタム（ＡＳ）に対して提供される許可されたＣＳＧ ＩＤのリストに前記ＣＳＧに対応するＣＳＧ識別子（ＩＤ）を含めることを少なくとも１つのコンピュータに抑止させるためのコードと、なお、前記オペレータＣＳＧリストは、読み出し専用であり、オペレータによって制御される；
を備える、
コンピュータプログラムプロダクト。
［Ｃ５８］
前記コンピュータ可読媒体は、前記ＣＳＧに対応する前記ＣＳＧ ＩＤが前記オペレータＣＳＧリストに存在するかどうかを、少なくとも１つのコンピュータに識別させるためのコード、をさらに備える、Ｃ５７に記載のコンピュータプログラムプロダクト。
［Ｃ５９］
ユーザ機器（ＵＥ）がクローズド加入者グループ（ＣＳＧ）について認可されないということを示しているメッセージを受信する、禁止されたＣＳＧ管理コンポーネントと；
前記ＣＳＧ ＩＤがオペレータＣＳＧリストに存在するとき、セル選択についてアクセスストラタム（ＡＳ）に対して提供される許可されたＣＳＧ ＩＤのリストにＣＳＧに対応するＣＳＧ識別子（ＩＤ）を含めることを抑止するフィルタコンポーネントと、なお、前記オペレータＣＳＧリストは、読み出し専用であり、オペレータによって制御される；
を備える装置。
［Ｃ６０］
前記フィルタコンポーネントは、前記ＵＥがオフに切り替えられるまで、ユニバーサル加入者アイデンティティモード（ＵＳＩＭ）が前記ＵＥから取り除かれるまで、または、前記オペレータＣＳＧリストが更新される、の時間期間のうちの少なくとも１つの間、前記許可されたＣＳＧ ＩＤのリストに前記ＣＳＧ ＩＤが含まれることを抑止する、Ｃ５９に記載の装置。
［Ｃ６１］
ユーザ機器（ＵＥ）がクローズド加入者グループ（ＣＳＧ）について認可されないということを示しているメッセージを受信することと；
前記ＣＳＧに対応するＣＳＧ識別子（ＩＤ）がオペレータＣＳＧリストに存在しているかどうかを認識することと、なお、前記オペレータＣＳＧリストは読み出し専用で、オペレータによって制御される；
マニュアルＣＳＧ選択モードについて前記ＵＥにおいて保存された前記オペレータＣＳＧリストに前記ＣＳＧ ＩＤがあるということを前記ＵＥが示すことを抑止することと；
を備える方法。
［Ｃ６２］
前記ＵＥがオフに切り替えられるまで、ユニバーサル加入者アイデンティティモード（ＵＳＩＭ）がＵＥから取り除かれるまで、または、前記オペレータＣＳＧリストが更新されるまで、の時間期間のうちの少なくとも１つの間、前記ＵＥにおいて保存された前記オペレータＣＳＧリストに前記ＣＳＧ ＩＤがあるということを前記ＵＥが示すことを抑止すること、をさらに備えるＣ６１に記載の方法。
［Ｃ６３］
ユーザ機器（ＵＥ）がクローズド加入者グループ（ＣＳＧ）について認可されないということを示しているメッセージを受信するように；
前記ＣＳＧに対応するＣＳＧ識別子（ＩＤ）がオペレータＣＳＧリストに存在しているかどうかを認識するように、なお、前記オペレータＣＳＧリストは読み出し専用で、オペレータによって制御される；
マニュアルＣＳＧ選択モードについて前記ＵＥにおいて保存された前記オペレータＣＳＧリストに前記ＣＳＧ ＩＤがあるということを前記ＵＥが示すことを抑止するように；
構成された少なくとも１つのプロセッサ、
を備える無線通信装置。
［Ｃ６４］
ＵＥがオフに切り替えられるまで、ユニバーサル加入者アイデンティティモード（ＵＳＩＭ）がＵＥから取り除かれるまで、または、オペレータＣＳＧリストが更新されるまで、の時間期間のうちの少なくとも１つの間、前記ＵＥにおいて保存された前記オペレータＣＳＧリストに前記ＣＳＧ ＩＤがあるということを前記ＵＥが示すことを抑止するように
構成された少なくとも１つのプロセッサ、
をさらに備えるＣ６３に記載の無線通信装置。
［Ｃ６５］
ユーザ機器（ＵＥ）がクローズド加入者グループ（ＣＳＧ）について認可されないということを示しているメッセージを受信するための手段と；
マニュアルＣＳＧ選択モードについて前記ＵＥにおいて保存されたオペレータＣＳＧリストに、前記ＣＳＧに対応するＣＳＧ識別子（ＩＤ）があるということを前記ＵＥが示すことを抑止するための手段と、なお、前記オペレータＣＳＧリストは、読み出し専用であり、オペレータによって制御される；
を備える装置。
［Ｃ６６］
前記ＣＳＧに対応する前記ＣＳＧ ＩＤがオペレータＣＳＧリストに存在するかどうかを識別するための手段、をさらに備えるＣ６５に記載の装置。
［Ｃ６７］
コンピュータ可読媒体を備えるコンピュータプログラムプロダクトであって、前記コンピュータ可読媒体は、
ユーザ機器（ＵＥ）がクローズド加入者グループ（ＣＳＧ）について認可されないということを示しているメッセージを、少なくとも１つのコンピュータに受信させるためのコードと；
マニュアルＣＳＧ選択モードについて前記ＵＥにおいて保存されたオペレータＣＳＧリストに、前記ＣＳＧに対応するＣＳＧ識別子（ＩＤ）があるということを前記ＵＥが示すことを、少なくとも１つのコンピュータに抑止させるためのコードと、なお、前記オペレータＣＳＧリストは、読み出し専用であり、オペレータによって制御される；
を備える、
コンピュータプログラムプロダクト。
［Ｃ６８］
前記コンピュータ可読媒体は、前記ＣＳＧに対応する前記ＣＳＧ ＩＤが前記オペレータＣＳＧリストに存在するかどうかを少なくとも１つのコンピュータに識別させるためのコード、をさらに備える、Ｃ６７に記載のコンピュータプログラムプロダクト。
［Ｃ６９］
マニュアル選択についてユーザ機器（ＵＥ）に保存されたオペレータＣＳＧリストに含まれるクローズド加入者グループ（ＣＳＧ）識別子（ＩＤ）のリストをレンダリングするディスプレイコンポーネントと、なお、前記オペレータＣＳＧリストは読み出し専用でオペレータによって制御される；
前記ユーザ機器（ＵＥ）がＣＳＧについて認可されないということを示しているメッセージを受信する禁止されたＣＳＧ管理コンポーネントと；
前記ＣＳＧに対応するＣＳＧ ＩＤがマニュアルＣＳＧ選択について前記ＵＥにおいて保存された前記オペレータＣＳＧリストにあるということをディスプレイコンポーネントが示すことを抑止するフィルタコンポーネントと；
を備える装置。
［Ｃ７０］
前記フィルタコンポーネントは、ＵＥがオフに切り替えられるまで、ユニバーサル加入者アイデンティティモード（ＵＳＩＭ）が前記ＵＥから取り除かれるまで、または、前記オペレータＣＳＧリストが更新されるまで、の時間期間のうちの少なくとも１つの間、前記ＵＥにおいて保存された前記オペレータＣＳＧリストに前記ＣＳＧに対応する前記ＣＳＧ ＩＤがあるということをディスプレイコンポーネントが示すことを抑止する、Ｃ６９に記載の装置。
【図１】
0005442773.tif 000002
【図２】
0005442773.tif 000003
【図３】
0005442773.tif 000004
【図４】
0005442773.tif 000005
【図５】
0005442773.tif 000006
【図６】
0005442773.tif 000007
【図７】
0005442773.tif 000008
【図８】
0005442773.tif 000009
【図９】
0005442773.tif 000010
【図１０】
0005442773.tif 000011
【図１１】
0005442773.tif 000012
【図１２】
0005442773.tif 000013
【図１３】
0005442773.tif 000014
【図１４】
0005442773.tif 000015
【図１５】
0005442773.tif 000016
【図１６】
0005442773.tif 000017